(57)【要約】【課題】ウェアラブル端末の状態に応じてウェアラブル端末のロックを制御すること。【解決手段】ウェアラブル端末のロックを制御は、装着検出部１１がウェアラブル端末１０の身体への装着の有無を検出する。ウェアラブル端末１０がロックされていない状態において、装着検出部１１によりウェアラブル端末の身体への装着が検出されない場合には、制御部１２はウェアラブル端末のロックを行う。ウェアラブル端末１０がロックされていない状態において、装着検出部１１によりウェアラブル端末の身体への装着が検出された場合には、制御部１２はウェアラブル端末のロックを行わない。【選択図】図２
2015194988.tif 000002
【特許請求の範囲】
【請求項１】
身体に装着するウェアラブル端末であって、
前記ウェアラブル端末の身体への装着の有無を検出する装着検出手段と、
前記ウェアラブル端末がロックされていない状態において、前記装着検出手段により前記ウェアラブル端末の身体への装着が検出されない場合には、前記ウェアラブル端末のロックを行い、前記ウェアラブル端末がロックされていない状態において、前記装着検出手段により前記ウェアラブル端末の身体への装着が検出された場合には、前記ウェアラブル端末のロックを行わないという制御を行う制御手段と、
を備えるウェアラブル端末。
【請求項２】
前記制御手段は、前記装着検出手段により前記ウェアラブル端末の身体への装着が検出されておらず、ロック解除状態が所定時間経過すると、前記ウェアラブル端末をロックする、請求項１に記載のウェアラブル端末。
【請求項３】
携帯端末からロック解除情報を受信する受信手段をさらに備え、
前記制御手段は、前記装着検出手段により装着がなされていることが検出され、さらに前記受信手段により前記携帯端末からロック解除情報が受信されると、前記ウェアラブル端末のロックを解除する、請求項１または２に記載のウェアラブル端末。
【請求項４】
前記携帯端末に対して、ウェアラブル端末が装着状態であることを示す装着状態情報を通知する通知手段と、
ロック解除の操作の受付けを行う操作手段と、
を備え、
前記制御手段は、前記装着検出手段により装着がなされていることが検出され、前記操作手段によるロック解除の操作が受付けられると、前記ウェアラブル端末のロックを解除するとともに、前記通知手段に対して、装着状態情報を通知するよう制御する、
請求項３に記載のウェアラブル端末。
【請求項５】
前記通知手段は、さらに、前記携帯端末に対して、ロック解除状態であることを示すロック解除状態情報を通知する、請求項４に記載のウェアラブル端末。
【請求項６】
請求項１から５のいずれか一項に記載のウェアラブル端末を接続する携帯端末であって、
前記ウェアラブル端末から装着状態情報を受信する端末受信手段と、
前記端末受信手段により受信された装着状態情報を記憶する状態情報記憶手段と、
前記携帯端末のロック解除の操作を受付ける端末操作手段と、
前記状態情報記憶手段においてウェアラブル端末の装着状態情報が記憶されている場合には、前記端末操作手段によるロック解除の操作を受付け可能とする端末制御手段と、
を備える携帯端末。
【請求項７】
前記端末操作手段は、前記ロック解除の操作よりもセキュリティの高いロック解除の操作をさらに受付け可能とし、
前記端末制御手段は、前記状態情報記憶手段においてウェアラブル端末の装着状態情報が記憶されていない場合には、前記セキュリティの高いロック解除操作を受付ける、請求項６に記載の携帯端末。
【請求項８】
前記端末操作手段は、前記携帯端末が備える機能を利用するための操作である端末操作をさらに受付け可能とし、
前記端末制御手段は、前記状態情報記憶手段において前記ウェアラブル端末の装着状態情報が記憶されていない場合には、前記端末操作手段が受付け可能な前記端末操作の範囲を制限する、請求項６または７に記載の携帯端末。
【請求項９】
前記端末受信手段は、さらに、前記ウェアラブル端末のロック解除状態を示すロック解除状態情報を受信し、
前記状態情報記憶手段は、前記装着状態情報とともに、ロック解除状態情報を記憶し、
前記端末制御手段は、前記状態情報記憶手段においてウェアラブル端末の装着状態情報及びロック解除状態情報が記憶されている場合には、前記端末操作手段によるロック解除の操作を受付け可能とする、
請求項６から８のいずれか一項に記載の携帯端末。
【請求項１０】
前記受信手段は、前記携帯端末から、前記携帯端末と前記ウェアラブル端末との距離情報、前記携帯端末から他のウェアラブル端末と前記携帯端末との距離情報、及び前記他のウェアラブル端末の身体への装着の有無に関する情報を受信し、
前記制御手段は、前記装着検出手段が装着状態を検出し、前記受信手段が前記他のウェアラブル端末の装着状態を受信した場合であって、前記受信手段が受信した前記携帯端末と前記ウェアラブル端末との距離及び前記携帯端末と前記他のウェアラブル端末との距離の少なくともいずれか一方が予め定められた距離以上である時、前記ウェアラブル端末のロックを行うという制御を行う、請求項４又は５に記載のウェアラブル端末。
【請求項１１】
前記ウェアラブル端末と他のウェアラブル端末との距離を検出する距離検出手段をさらに備え、
前記受信手段は、前記携帯端末から前記他のウェアラブル端末の身体への装着の有無に関する情報を受信し、
前記制御手段は、前記装着検出手段が装着状態を検出し、前記受信手段が前記他のウェアラブル端末の装着状態を受信した場合であって、前記距離検出手段が検出した前記ウェアラブル端末と前記他のウェアラブル端末との距離が予め定められた距離以上である時、前記ウェアラブル端末のロックを行うという制御を行う、請求項４又は５に記載のウェアラブル端末。
【請求項１２】
前記操作手段は、前記ウェアラブル端末に対し操作が行われたことに関する情報をさらに検出し、
前記通知手段は、前記ウェアラブル端末に対し操作が行われたことに関する情報をさらに通知し、
前記受信手段は、さらに前記他のウェアラブル端末に対し操作が行われたことに関する情報をさらに受信し、
前記制御手段は、前記受信手段が前記他のウェアラブル端末に対し操作が行われたことに関する情報を受信した場合に、前記操作手段が検出した前記ウェアラブル端末に対し操作が行われたことに関する情報と前記受信手段が受信した前記他のウェアラブル端末に対し操作が行われたことに関する情報とに基づいて、前記ウェアラブル端末に対し操作が行われた時間と、前記他のウェアラブル端末に対し操作が行われた時間との差を取得し、その差が予め定められた時間以内である時、前記ウェアラブル端末のロックを行うという制御を行う、請求項１０又は１１に記載のウェアラブル端末。
【請求項１３】
身体に装着するウェアラブル端末の制御方法であって、
前記ウェアラブル端末の身体への装着の有無を検出する装着検出ステップと、
前記ウェアラブル端末がロックされていない状態において、前記装着検出ステップにより前記ウェアラブル端末の身体への装着が検出されない場合には、前記ウェアラブル端末のロックを行い、前記ウェアラブル端末がロックされていない状態において、前記装着検出ステップにより前記ウェアラブル端末の身体への装着が検出された場合には、前記ウェアラブル端末のロックを行わないという制御を行う制御ステップと、
を備えるウェアラブル端末の制御方法。
【発明の詳細な説明】
【技術分野】
【０００１】
本発明は、ウェアラブル端末及びウェアラブル端末の制御方法に関する。
【背景技術】
【０００２】
端末には多くの個人情報や管理すべき情報が含まれるため、効率的かつ確実にセキュリティを確保することが必須である。文献１では、端末を不正な利用から保護する端末セキュリティ保護装置が開示されている。この端末セキュリティ保護装置は、端末がＰＡＮ（パーソナルエリアネットワーク）から外れた場合に、ユーザがロックの設定をすることなく、セキュリティロック機能を起動させる装置である。
【先行技術文献】
【特許文献】
【０００３】
【特許文献１】ＷＯ２００６／０４６３０４
【発明の概要】
【発明が解決しようとする課題】
【０００４】
近年、スマートウォッチやスマートグラスといったウェアラブル端末が実用化されてきている。ウェアラブル端末は、携帯型端末と同様に個人情報等や管理すべき情報が記憶されている場合が多いため、携帯型端末と同様にセキュリティを確保する必要がある。
【０００５】
文献１の技術をウェアラブル端末に適用すれば、ウェアラブル端末のロックの制御を自動的に行うことができる。
【０００６】
しかし、ユーザはウェアラブル端末の通常使用時には常に装着している状態であることが多く、ウェアラブル端末を他人に操作される恐れは少ない。よって、文献１のようにネットワークから外れた場合に一律にロックをすることとすると、ウェアラブル端末を使用するユーザにとって利便性を欠く場合がある。
【０００７】
そこで、本発明は、上記問題点に鑑みてなされたものであり、ウェアラブル端末の状態に応じてロックの制御が可能なウェアラブル端末及びウェアラブル端末のロックの制御方法を提供することを目的とする。
【課題を解決するための手段】
【０００８】
上記課題を解決するために、本発明は身体に装着するウェアラブル端末であって、ウェアラブル端末の身体への装着の有無を検出する装着検出手段と、ウェアラブル端末がロックされていない状態において、装着検出手段によりウェアラブル端末の身体への装着が検出されない場合には、ウェアラブル端末のロックを行い、ウェアラブル端末がロックされていない状態において、装着検出手段によりウェアラブル端末の身体への装着が検出された場合には、ウェアラブル端末のロックを行わないという制御を行う制御手段と、を備える。
【０００９】
また、本発明のウェアラブル端末のロック制御方法は、身体に装着するウェアラブル端末のロックの制御方法であって、ウェアラブル端末の身体への装着の有無を検出する装着検出ステップと、ウェアラブル端末がロックされていない状態において、装着検出ステップによりウェアラブル端末の身体への装着が検出されない場合には、ウェアラブル端末のロックを行い、ウェアラブル端末がロックされていない状態において、装着検出ステップによりウェアラブル端末の身体への装着が検出された場合には、ウェアラブル端末のロックを行わないという制御を行う制御ステップと、を備える。
【００１０】
この発明によれば、ユーザがウェアラブル端末を装着していない状態では、ウェアラブル端末をロックするが、ユーザがウェアラブル端末を装着している状態では、ウェアラブル端末をロックしないという制御がされる。したがって、ウェアラブル端末を装着していない状態では、ウェアラブル端末はロックされるので、他人に操作される恐れを少なくすることができる。また、ウェアラブル端末を装着している状態では、他人に操作される恐れが少ないので、ウェアラブル端末はロックされないようにし、ユーザの利便性を向上させることができる。
【００１１】
また、本発明のウェアラブル端末の制御手段は、装着検出手段によりウェアラブル端末の身体への装着が検出されておらず、ロック解除状態が所定時間経過すると、ウェアラブル端末をロックするようにしてもよい。この構成によれば、ウェアラブル端末の身体への装着が検出されていない場合、ロック解除状態が所定時間経過すると、ウェアラブル端末はロックされる。よって、ウェアラブル端末を装着していない状態での、セキュリティを確実に確保することができる。
【００１２】
また、本発明のウェアラブル端末は携帯端末からロック解除情報を受信する受信手段をさらに備え、制御手段は、装着検出手段により装着がなされていることが検出され、さらに受信手段により携帯端末からロック解除情報が受信されると、ウェアラブル端末のロックを解除するようにしてもよい。この構成によれば、ウェアラブル端末の身体への装着が検出されている場合、ウェアラブル端末が携帯端末からロックの解除の信号を受信することで、ウェアラブル端末のロックを解除することができる。したがって、ユーザは、ユーザの保有する携帯端末からウェアラブル端末のロックの解除の操作することができる。携帯端末の操作画面は、ウェアラブル端末の操作画面よりも大きいため、ロック解除の入力を容易に行うことができる。
【００１３】
また、本発明のウェアラブル端末は、携帯端末に対して、ウェアラブル端末が装着状態であることを示す装着状態情報を通知する通知手段と、ロック解除の操作の受付けを行う操作手段と、を備え、制御手段は、装着検出手段により装着がなされていることが検出され、操作手段によるロック解除の操作が受付けられると、ウェアラブル端末のロックを解除するとともに、通知手段に対して、装着状態情報を通知するよう制御するようにしてもよい。この構成によれば、ウェアラブル端末のロックを解除する際のウェアラブル端末の装着状態情報が携帯端末に通知される。つまり、ウェアラブル端末のロックが解除された際のウェアラブル端末の装着状態を携帯端末は認識することができる。ウェアラブル端末が装着されている状態を携帯端末が認識した場合、ウェアラブル端末が携帯端末の近傍にあることが想定される。また、ウェアラブル端末が装着されているということは、他人に操作される可能性が低い。このように、ウェアラブル端末の装着状態を考慮した制御を携帯端末に対してもすることが可能となる。
【００１４】
また、本発明のウェアラブル端末の通知手段は、さらに、携帯端末に対して、ロック解除状態であることを示すロック解除状態情報を通知するようにしてもよい。この構成によれば、ウェアラブル端末の装着状態情報とともにウェアラブル端末のロック解除状態情報が携帯端末に通知される。つまり、ウェアラブル端末の装着状態情報及びロック解除状態を携帯端末は認識することができる。また、ウェアラブル端末がロック解除状態であるならば、セキュリティの面で他人に操作されるおそれがない状態であることが想定される。よって、セキュリティを確保しつつウェアラブル端末の状態に応じて柔軟性の高いロックの制御が携帯端末に対しても可能となる。
【００１５】
また、本発明のウェアラブル端末を接続する携帯端末は、ウェアラブル端末から装着状態情報を受信する端末受信手段と、端末受信手段により受信された装着状態情報を記憶する状態情報記憶手段と、携帯端末のロック解除の操作を受付ける端末操作手段と、状態情報記憶手段においてウェアラブル端末の装着状態情報が記憶されている場合には、端末操作手段によるロック解除の操作を受付け可能とする端末制御手段と、を備える。この構成によれば、ウェアラブル端末の装着状態情報を受信した場合に、携帯端末のロックの解除の受付けが可能となる。よって、ウェアラブル端末の状態を考慮した携帯端末のロックの制御が可能となる。
【００１６】
また、本発明のウェアラブル端末を接続する携帯端末の端末操作手段は、ロック解除の操作よりもセキュリティの高いロック解除の操作をさらに受付け可能とし、端末制御手段は、状態情報記憶手段においてウェアラブル端末の装着状態情報が記憶されていない場合には、セキュリティの高いロック解除操作を受付けるように制御してもよい。この構成によれば、ウェアラブル端末の装着状態情報を携帯端末が認識できない場合には、高セキュリティの携帯端末のロック解除の受付けが可能となる。ウェアラブル端末が装着されていない場合には、ウェアラブル端末と携帯端末がともにユーザから離れていることが想定される。例えば、ユーザがウェアラブル端末１０と携帯端末２０を机に置いているような状態が想定される。このような状態では、ウェアラブル端末１０だけでなく携帯端末も他人に操作される可能性が高いと考えられる。または、携帯端末が盗まれることも想定される。よってこのような状況下では、ロックの解除のセキュリティを高める必要があるためである。
【００１７】
また、本発明のウェアラブル端末を接続する携帯端末の端末操作手段は、携帯端末が備える機能を利用するための操作である端末操作をさらに受付け可能とし、端末制御手段は、状態情報記憶手段においてウェアラブル端末の装着状態情報が記憶されていない場合には、端末操作手段が受付け可能な端末操作の範囲を制限するロックを行うようにしてもよい。この構成によれば、ウェアラブル端末の装着状態情報を携帯端末が認識できない場合には、端末操作部２２が受付可能な操作を制限することが可能となる。ウェアラブル端末が装着されていない場合には、上述の通り、ウェアラブル端末と携帯端末がともにユーザから離れていることが想定される。このような状態では、携帯端末も他人に操作される可能性が高い。しかし、ユーザ情報等へのアクセスに限らず、携帯端末が有する機能を他人が利用することは望ましくない。よってこれらの状況下では、端末操作部２２が受付可能な機能を制限する必要があるためである。
【００１８】
また、本発明のウェアラブル端末を接続する携帯端末の端末受信手段は、さらに、ウェアラブル端末のロック解除状態を示すロック解除状態情報を受信し、状態情報記憶手段は、装着状態情報とともに、ロック解除状態情報を記憶し、端末制御手段は、状態情報記憶手段においてウェアラブル端末の装着状態情報及びロック解除状態情報が記憶されている場合には、端末操作手段によるロック解除の操作を受付け可能とするようにしてもよい。この構成によれば、ウェアラブル端末の装着状態情報及びロック解除状態情報を携帯端末が認識した場合に限り、携帯端末のロックの解除の受付けが可能となる。よって、ウェアラブル端末の状態を考慮し、セキュリティ面で確実な携帯端末のロックの制御が可能となる。
【００１９】
また、本発明のウェアラブル端末の受信手段は、携帯端末から、携帯端末とウェアラブル端末との距離情報、携帯端末から他のウェアラブル端末と携帯端末との距離情報、及び他のウェアラブル端末の身体への装着の有無に関する情報を受信し、制御手段は、装着検出手段が装着状態を検出し、受信手段が他のウェアラブル端末の装着状態を受信した場合であって、受信手段が受信した携帯端末とウェアラブル端末との距離及び携帯端末と他のウェアラブル端末との距離の少なくともいずれか一方が予め定められた距離以上である時、ウェアラブル端末のロックを行うという制御を行ってもよい。この構成によれば、ウェアラブル端末が複数ある場合に、ウェアラブル端末が装着状態にも関わらず、いずれかのウェアラブル端末が携帯端末から所定距離以上離れている場合に、ウェアラブル端末をロックする。いずれかのウェアラブル端末が携帯端末から所定距離以上離れている場合とは、いずれかの端末を他人に持ち去られた可能性がある状態であることが想定される。よって、セキュリティを確保するために、このような状態においてはウェアラブル端末をロックすることで、セキュリティを確実に確保することができる。
【００２０】
また、本発明のウェアラブル端末は、ウェアラブル端末と他のウェアラブル端末との距離を検出する距離検出手段をさらに備え、受信手段は、携帯端末から他のウェアラブル端末の身体への装着の有無に関する情報を受信し、制御手段は、装着検出手段が装着状態を検出し、受信手段が他のウェアラブル端末の装着状態を受信した場合であって、距離検出手段が検出したウェアラブル端末と他のウェアラブル端末との距離が予め定められた距離以上である時、ウェアラブル端末のロックを行うという制御を行ってもよい。この構成によれば、ウェアラブル端末が複数ある場合に、装着状態にも関わらず、ウェアラブル端末同士が所定距離以上離れている場合に、ウェアラブル端末をロックする。ウェアラブル端末は、ユーザの身体へ装着されていることが前提であるので、装着状態が検出されている場合には、所定距離以内であることが想定される。つまり、装着状態にも関わらずウェアラブル端末同士が所定距離以上離れている場合とは、他人に持ち去られた可能性がある状態であること等が想定される。よって、このような状態の場合にはウェアラブル端末をロックすることで、セキュリティを確実に確保することができる。
【００２１】
また、本発明のウェアラブル端末の操作手段は、ウェアラブル端末に対し操作が行われたことに関する情報をさらに検出し、通知手段は、ウェアラブル端末に対し操作が行われたことに関する情報をさらに通知し、受信手段は、さらに他のウェアラブル端末に対し操作が行われたことに関する情報をさらに受信し、制御手段は、受信手段が他のウェアラブル端末に対し操作が行われたことに関する情報を受信した場合に、操作手段が検出したウェアラブル端末に対し操作が行われたことに関する情報と受信手段が受信した他のウェアラブル端末に対し操作が行われたことに関する情報とに基づいて、ウェアラブル端末に対し操作が行われた時間と、他のウェアラブル端末に対し操作が行われた時間との差を取得し、その差が予め定められた時間以内である時、ウェアラブル端末のロックを行うという制御を行うという制御を行ってもよい。この構成によれば、ウェアラブル端末が複数ある場合に、装着状態であり、携帯端末とウェアラブル端末との距離、あるいはウェアラブル端末同士の距離が所定以上であり、複数のウェアラブル端末が所定時間以内に操作された場合に、ウェアラブル端末をロックする。複数のウェアラブル端末が所定以上の距離であり、所定時間以内（同時等）に操作された場合、それぞれ異なる人によってウェアラブル端末が操作された可能性が想定される。よって、このような状態の場合にはウェアラブル端末をロックすることで、セキュリティを確実に確保することができる。
【発明の効果】
【００２２】
本発明によれば、ウェアラブル端末の状態に応じてウェアラブル端末のロックを制御することができる。
【図面の簡単な説明】
【００２３】
【図１】本実施形態のウェアラブル端末１０及び携帯端末２０の概要を示す概要図である。
【図２】ウェアラブル端末１０の機能を示すブロック図である。
【図３】携帯端末２０の機能を示すブロック図である。
【図４】ウェアラブル端末１０のハードウェア構成図である。
【図５】ウェアラブル端末１０がロックされていない場合のウェアラブル端末１０のロックの制御方法を決定する決定手順を示すフローチャートである。
【図６】ウェアラブル端末１０がロックされている場合のウェアラブル端末１０のロックの制御方法を決定する決定手順を示すフローチャートである。
【図７】携帯端末２０のロックの制御方法を決定する決定手順を示すフローチャートである。
【図８】携帯端末２０のロックの制御方法を決定する決定手順の変形例を示すフローチャートである。
【図９】第２実施形態のウェアラブル端末１０Ａ、ウェアラブル端末１０Ｂ、及び携帯端末２０Ａの概要を示す概要図である。
【図１０】第２実施形態のウェアラブル端末１０Ａの機能を示すブロック図である。
【図１１】第２実施形態の携帯端末２０Ａの機能を示すブロック図である。
【図１２】第２実施形態のウェアラブル端末１０Ａがロックされていない場合のウェアラブル端末１０Ａのロックの制御内容を決定する決定手順を示すフローチャートである。
【図１３】第２実施形態のウェアラブル端末１０Ａがロックされている場合のウェアラブル端末１０Ａのロックの制御内容を決定する決定手順を示すフローチャートである。
【図１４】第２実施形態のウェアラブル端末１０Ａのロックの制御方法を示すシーケンス図である。
【図１５】第２実施形態の変形例である、ウェアラブル端末１０Ａがロックされている場合のウェアラブル端末１０Ａのロックの制御内容を決定する決定手順を示すフローチャートである。
【図１６】第２実施形態の変形例である、ウェアラブル端末１０Ａがロックされていない場合のウェアラブル端末１０Ａのロックの制御内容を決定する決定手順を示すフローチャートである。
【図１７】第２実施形態の変形例である、ウェアラブル端末１０Ａのロックの制御方法を示すシーケンス図である。
【発明を実施するための形態】
【００２４】
[第１実施形態]
本発明に係るウェアラブル端末、ウェアラブル端末の制御方法の実施形態について図面を参照して説明する。なお、可能な場合には、同一の部分には同一の符号を付して、重複する説明を省略する。
【００２５】
図１は、ウェアラブル端末の構成を示す図である。図１に示すように、ウェアラブル端末１０は、例えば、時計型のデバイスであって、タッチパネルＴ１を有する。携帯端末２０は、例えば、スマートフォンのような端末であって、タッチパネルＴ２を有する。タッチパネルＴ１、Ｔ２は、ディスプレイ及び当該ディスプレイに対する接触を検出するためのセンサの機能を併せ持っている。このセンサは、例えば静電センサである。ウェアラブル端末１０と携帯端末２０は、近距離無線通信機能等により通信が可能である。例えば、携帯端末２０で受信したメールの情報をウェアラブル端末１０に表示するように構成することが可能である。なお、ウェアラブル端末１０は時計に限られず、メガネの形をしたもの等であってもよい。
【００２６】
図２は、ウェアラブル端末１０の機能構成を示すブロック図である。図２に示すように、ウェアラブル端末１０は、機能的には、装着検出部１１（装着検出手段）、制御部１２（制御手段）、受信部１３（受信手段）、操作部１４（操作手段）、及び通知部１５（通知手段）を備える。タッチパネルＴ１は操作部１４としての機能を有する。操作部１４は、ユーザからの操作を受付けることができる。
【００２７】
図３は、携帯端末２０の機能構成を示すブロック図である。図３に示すように、携帯端末２０は、機能的には、端末受信部２１（端末受信手段）、端末操作部２２（端末操作手段）、端末制御部２３（端末制御手段）、状態情報記憶部２４（状態情報記憶手段）、及び情報通知部２５を備える。タッチパネルＴ２は端末操作部２２により構成される。端末操作部２２は、ユーザによる操作の情報を受付けることができる。またタッチパネルＴ２である端末操作部２２は、各種のテキスト及びアイコン等を表示する部分である。
【００２８】
図４は、ウェアラブル端末１０のハードウェア構成図である。ウェアラブル端末１０は、物理的には、図３に示すように、ＣＰＵ１０１、主記憶装置であるＲＡＭ１０２及びＲＯＭ１０３、データ送受信デバイスである近距離無線通信モジュール１０４、ハードディスク、フラッシュメモリ等に例示される補助記憶装置１０５、入力デバイスであるタッチパネル及びキーボード等に例示される入力装置１０６、ディスプレイ等の出力装置１０７などを含むコンピュータシステムとして構成されている。図２に示した各機能は、図３に示すＣＰＵ１０１、ＲＡＭ１０２等のハードウェア上に所定のコンピュータソフトウェアを読み込ませることにより、ＣＰＵ１０１の制御のもとで近距離無線通信モジュール１０４、入力装置１０６、出力装置１０７を動作させるとともに、ＲＡＭ１０２や補助記憶装置１０５におけるデータの読み出し及び書き込みを行うことで実現される。
【００２９】
再び、図２を参照し、ウェアラブル端末１０の各機能部について詳細に説明する。なお、ウェアラブル端末１０及び携帯端末２０は同じユーザによって所有されることが想定されるものである。また、以下の説明で使用する、ウェアラブル端末１０及び携帯端末２０を「ロックする」とは、ロックを解除する操作を受付け、少なくともユーザの個人情報等にアクセスするような操作や課金が必要となるような操作を受付けない状態とすることをいう。例えば、メール機能や電話機能、ブラウザの利用等の操作を受付けない状態である。なお、ロックを解除する操作のみを受け付けるようにしてもよい。また、ロックをする前に、認証画面を表示し、本人認証の処理を行い、本人であることが確認できた場合には、ロックをしないこととしてもよい。ここでいう認証とは、例えば指紋センサによる指紋認証等の生体認証である。なお、本人認証の方法はこの方法に限られず、本人であることが確認できればよい。
【００３０】
装着検出部１１は、ウェアラブル端末１０のユーザの身体への装着の有無を検出する部分である。具体的には、例えば近接センサにより、ウェアラブル端末のユーザの身体への近接を検出し、検出した情報に基づいて装着状態情報を取得する。ユーザの身体への近接が検出された場合、ウェアラブル端末１０はユーザに装着されていると判断され、装着されている旨の装着状態情報を取得する。例えば、装着検出部１１は、１分ごと、１０分ごとに装着状態情報を取得する。そして、装着検出部１１は、取得したウェアラブル端末１０の装着状態情報を制御部１２に送信する。なお、装着検出部１１が装着状態情報を取得するタイミングは定期的なタイミングに限られず、不定期であってもよい。例えば、装着状態情報を取得するタイミングは、あらかじめ決められたユーザによる操作等のアクションをウェアラブル端末１０が検知したタイミングでもよい。あるいはウェアラブル端末１０が携帯端末２０と近距離無線通信が可能になったタイミング等であってもよい。なお、近接センサではなく、バックル部分につけられたセンサ等であってもよい。
【００３１】
操作部１４は、タッチパネルＴ１に対して行われる入力操作に関する操作情報を取得する部分である。ここでいう操作とは、ロック解除のためタッチパネルＴ１からウェアラブル端末１０のロックを解除することである。操作部１４は、操作が行われた時間に関する情報（以下、「操作実行時間」という。）もあわせて取得する。操作部１４は、操作を受付けると、操作情報及び操作実行時間を制御部１２及び通知部１５に通知する。
【００３２】
受信部１３は、携帯端末２０と接続し、携帯端末２０からウェアラブル端末１０のロックを解除するための信号（以下「ロック解除情報」という。）を受信する部分である。受信部１３は、ロック解除情報を受信すると、制御部１２に通知する。
【００３３】
制御部１２は、装着検出部１１から受信した装着状態情報、受信部１３が受信したロック解除情報、及び操作部１４から取得した操作情報、及びロック解除状態の経過時間（以下、「ロック解除状態経過時間」という。）の組合せによって、ウェアラブル端末１０のロックを解除するかどうかを判断する。ロック解除状態経過時間は、操作部１４が取得した操作実行時間と制御部１２が判断するタイミングの時間との差分から算出される。以下、ロックの制御について詳細に説明する。
【００３４】
例えば、ウェアラブル端末１０がロックされていない状態である場合の制御部１２による制御は次の通りである。装着検出部１１からウェアラブル端末１０の身体への装着が検出されなかった旨の装着状態情報を受信した場合、制御部１２はウェアラブル端末１０のロックを行う。ウェアラブル端末１０の身体への装着が検出されなかったということは、ウェアラブル端末１０がユーザから離れている可能性が高いので、ロックを行うことがセキュリティの面から望ましいからである。装着検出部１１からウェアラブル端末１０の身体への装着が検出された旨の装着状態情報を受信した場合、制御部１２はウェアラブル端末１０のロックを行わない。ウェアラブル端末１０は身体へ装着されている状態であるため、他人に操作される恐れがない。よって、ロックを解除状態のままとしてもセキュリティの面で問題ないためである。
【００３５】
また、制御部１２は、装着検出部１１から例えば１分ごと、１０分ごとに、装着状態情報を受信する。あるいは、装着検出部１１から装着状態情報を受信するタイミングは定期的なタイミングではなく、不定期であってもよい。例えば、装着状態情報を受信するタイミングは、あらかじめ決められたユーザによる操作等のアクションをウェアラブル端末１０が検知したタイミングでもよい。あるいはウェアラブル端末１０が携帯端末２０と近距離無線通信が可能になったタイミング等であってもよい。
【００３６】
制御部１２は、ウェアラブル端末１０のロック状態の確認を例えば１分ごと、１０分ごとに確認する。そして、ウェアラブル端末１０の身体への装着が検出されていない場合であって、ウェアラブル端末１０がロックされていない状態が所定時間経過したと制御部１２が判断すると、制御部１２はウェアラブル端末１０のロックを行う。ウェアラブル端末１０がロックされていない状態であり、かつウェアラブル端末１０をユーザが装着していない状態では、他人に操作される恐れがあるため、ロックを行うことがセキュリティの面から望ましいからである。
【００３７】
また、例えば、ウェアラブル端末１０がロックされている状態であり、受信部１３が携帯端末２０からロック解除情報を受信した場合であって、ウェアラブル端末１０の身体への装着が検出されている場合、制御部１２はロックを解除するという制御を行う。ウェアラブル端末１０が身体へ装着されている状態であるため、ロック状態を解除してもセキュリティの面で問題ないためである。
【００３８】
通知部１５は、携帯端末２０に対して、ウェアラブル端末１０の装着状態情報及びロック解除状態であることを示すロック解除状態情報を通知する部分である。この通知は、操作部１４がユーザからロック解除の操作を受付けた際に、ウェアラブル端末１０から携帯端末２０に対してなされる通知である。また、この通知は、近距離無線通信によって行われる。
【００３９】
次に、図３を参照し、携帯端末２０の各機能部について詳細に説明する。
【００４０】
端末受信部２１は、ウェアラブル端末１０と接続し、ウェアラブル端末１０に関する情報を受信する部分である。具体的には、ウェアラブル端末１０の装着状態情報とロック解除状態情報とを受信する。これらの情報はウェアラブル端末１０の通知部１５によって、通知される情報である。
【００４１】
端末操作部２２は、タッチパネルＴ２に対して行われる携帯端末２０のロック解除の操作を受け付ける部分である。具体的には、例えば、携帯端末２０のロック解除の操作用の画面がタッチパネルＴ２に表示されることにより、受け付ける。ロック解除の操作用の画面には、パスワード入力画、パターンロック及び指紋認証等が表示される。なお、パスワードの入力を要求せず、ロック解除ボタン等に触れるだけの操作のみを要求してもよい。
【００４２】
また、ウェアラブル端末１０の身体への装着がなされていない場合には、ウェアラブル端末１０と携帯端末２０は離れている状態である可能性が高いため、端末操作部２２はセキュリティの高いロック解除操作を受付ける。セキュリティの高いロック解除では、ユーザに対してあらかじめ設定された複雑なパスワードを入力させる等の操作を要求する。複雑なパスワードとは、例えば桁数の多いパスワード等がある。パスワードの入力を要求する場合には、例えばタッチパネルＴ２にパスワード入力画面を表示し、ユーザからパスワードの入力を受付ける。セキュリティの高いロック解除は複雑なパスワード入力に限られず、ユーザの識別が可能な指紋認証とパターンロックとの組合せ等であってもよい。なお、高いセキュリティのロック解除の場合も、高いセキュリティのロック解除ではない場合も、パスワードの正誤の判定は、端末操作部２２によって行われる。
【００４３】
状態情報記憶部２４は、端末受信部２１が受信したウェアラブル端末１０の装着状態情報とロック解除状態情報とを記憶する部分である。
【００４４】
端末制御部２３は、状態情報記憶部２４を参照して携帯端末２０のロックの制御をする部分である。具体的には、携帯端末２０がロックされている場合の処理動作は以下の通りである。端末制御部２３は状態情報記憶部２４を参照し、状態情報記憶部２４にウェアラブル端末１０が装着されている旨の装着状態情報が記憶されている状態で、端末操作部２２からロック解除操作を受付けると、携帯端末２０のロックを解除する。また、端末制御部２３は状態情報記憶部２４を参照し、状態情報記憶部２４にウェアラブル端末１０が装着されている旨の装着状態情報が記憶されていない状態では、端末操作部２２からセキュリティの高いロック解除操作を受付けた上で、携帯端末２０のロックを解除する。あるいは、状態情報記憶部２４にウェアラブル端末１０が装着されている旨の装着状態情報が記憶されていない状態では、端末制御部２３は、ロック解除をできないように制御してもよい。
【００４５】
また、端末制御部２３は、上述した状態情報記憶部２４に記憶されているウェアラブル端末１０の装着状態情報だけでなく、状態情報記憶部２４に記憶されているウェアラブル端末１０のロック解除状態情報もあわせて判断してもよい。つまり、ウェアラブル端末１０の装着情報及びロック解除状態情報の少なくともいずれかが状態情報記憶部２４に記憶されていない場合に、上述した高いセキュリティのロック解除とするように制御してもよい。
【００４６】
次に、携帯端末２０がロックされていない場合の処理動作は以下の通りである。端末制御部２３は状態情報記憶部２４を参照し、状態情報記憶部２４にウェアラブル端末１０が装着されている旨の装着情報が記憶されている状態で端末ロック解除状態が所定時間経過したと判断した場合、携帯端末２０をロックする。この場合のロックは、ユーザ情報等にアクセスしないような操作は受付ける状態としてもよい。例えば、ユーザ情報等にアクセスしない操作とは、カメラ機能や電卓機能等がある。
【００４７】
また、端末制御部２３は状態情報記憶部２４を参照し、状態情報記憶部２４にウェアラブル端末１０が装着されている旨の装着情報が記憶されていない状態であると判断した場合、端末をロックする。この場合のロックは、端末操作部２２が受付可能な操作の範囲を制限するようにしてもよい。例えば、ユーザ情報等にアクセスしない操作を含めて受付けないようにしてもよい。
【００４８】
また、端末制御部２３は、上述した状態情報記憶部２４に記憶されているウェアラブル端末１０の装着状態情報だけでなく、状態情報記憶部２４に記憶されているウェアラブル端末１０のロック解除状態情報もあわせて判断してもよい。つまり、ウェアラブル端末１０の装着情報及びロック解除状態情報の少なくともいずれかが状態情報記憶部２４に記憶されていない場合に、上述した端末操作部２２が受付可能な操作の範囲を制限してもよい。
【００４９】
情報通知部２５は、携帯端末２０のロックの解除のためのロック解除信号を、ウェアラブル端末１０に通知する部分である。ウェアラブル端末１０が装着状態であり、かつウェアラブル端末１０と携帯端末２０とが接続した場合には、携帯端末２０のロックを解除すると、ロック解除信号をウェアラブル端末１０に通知する。ウェアラブル端末１０の端末制御部２３は、この通知を受けて、ウェアラブル端末１０のロックを解除する。なお、ウェアラブル端末１０が装着状態でない場合には、携帯端末２０のロックを解除しても、ウェアラブル端末１０のロックの解除は行わない。このように、ウェアラブル端末１０と携帯端末２０とのロックの解除を連動させることで、より柔軟なロックの制御が可能となる。
【００５０】
次に、図５を参照して、ウェアラブル端末１０におけるロック解除方法について説明する。図５は、ウェアラブル端末１０がロックされている場合のロック解除の処理内容を示すフローチャートである。
【００５１】
制御部１２は、ロック状態であることを確認する（Ｓ１０１）。制御部１２が、ロック状態であることを確認すると、装着検出部１１はウェアラブル端末１０のユーザの身体への装着の有無を検出する（装着検出ステップ、Ｓ１０２）。受信部１３は、ウェアラブル端末１０のユーザの身体への装着が検出された場合には（Ｓ１０２：ＹＥＳ）、携帯端末２０と接続したかどうかを判断する（Ｓ１０３）。受信部１３が、携帯端末２０と接続したと判断した場合には（Ｓ１０３：ＹＥＳ）、受信部１３は携帯端末２０からロックの解除のためのロック解除情報を受信したか否かを判断する（Ｓ１０４）。受信部１３が、ウェアラブル端末１０が携帯端末２０からロック解除情報を受信したと判断した場合には（制御ステップ、Ｓ１０４：ＹＥＳ）、制御部１２は、ウェアラブル端末１０のロックを解除する（制御ステップ、Ｓ１０８）。
【００５２】
受信部１３が、携帯端末２０からロック解除情報を受信していないと判断した場合には（制御ステップ、Ｓ１０４：ＮＯ）、操作部１４はロックの解除のための操作を受付ける（Ｓ１０５）。操作部１４がウェアラブル端末１０のロックの解除の操作を受付けた場合（Ｓ１０５：ＹＥＳ）、通知部１５は、ウェアラブル端末１０の身体への装着の有無の情報及びロックの解除状態である旨の情報を携帯端末２０に通知し（Ｓ１０６）、制御部１２はウェアラブル端末１０のロックを解除する（Ｓ１０８）。操作部１４がロックの解除のための操作を受付けなかった場合（Ｓ１０５：ＮＯ）、制御部１２はウェアラブル端末１０のロックを確認する処理に戻り処理を繰り返す（Ｓ１０１）。
【００５３】
装着検出部１１がウェアラブル端末１０のユーザの身体への装着を検出しなかった場合（Ｓ１０２：ＮＯ）あるいは受信部１３が携帯端末２０と接続していないと判断した場合には（Ｓ１０３：ＮＯ）、操作部１４はウェアラブル端末１０からロックの解除のための操作を受付けているか否かを判断する（Ｓ１０７）。操作部１４がウェアラブル端末１０のロックの解除の操作を受付けていた場合（Ｓ１０７：ＹＥＳ）、制御部１２はウェアラブル端末１０のロックを解除する（Ｓ１０８）。操作部１４がロック解除情報を受付けなかった場合（Ｓ１０７：ＮＯ）、制御部１２はウェアラブル端末１０のロックを確認する処理に戻り処理を繰り返す（Ｓ１０１）。
【００５４】
なお、制御部１２によるウェアラブル端末１０のロックを確認（Ｓ１０１）、装着検出部１１によるウェアラブル端末１０の身体への装着の確認（Ｓ１０２）、受信部１３によるウェアラブル端末１０と携帯端末２０とが接続したかの確認（Ｓ１０３）、受信部１３による携帯端末２０からのウェアラブル端末１０のロック解除情報の受信の確認（Ｓ１０４）、及び操作部によるタッチパネルＴ１へのロック解除の入力（Ｓ１０５）についての一連の処理は、例えば１０秒ごと、１分ごとといった定期的な処理として確認される。
【００５５】
次に、図６を用いて、ウェアラブル端末１０がロックされていない場合のロックに関する処理内容を説明する。図６は、ウェアラブル端末１０がロックされていない場合のロックの制御に関する処理内容を示すフローチャートである。
【００５６】
制御部１２は、ロック解除状態であることを確認する（Ｓ２０１）。制御部１２がロック解除状態であることを確認すると、装着検出部１１はウェアラブル端末１０のユーザの身体への装着の有無を検出する（Ｓ２０２）。装着検出部１１が、ウェアラブル端末１０のユーザの身体への装着を検出した場合には（Ｓ２０２：ＹＥＳ）、制御部１２はウェアラブル端末１０のロックをせずにウェアラブル端末１０のロックを確認する処理を繰り返す（Ｓ２０１）。
【００５７】
制御部１２は、装着検出部１１が、ウェアラブル端末１０のユーザの身体への装着が検出しなかった場合には（Ｓ２０２：ＮＯ）、ウェアラブル端末１０のロック解除状態経過時間を確認する（Ｓ２０３）。ウェアラブル端末１０のロック解除状態経過時間があらかじめ決められた所定時間を経過していた場合（Ｓ２０３：ＹＥＳ）、制御部１２はウェアラブル端末１０をロックする（Ｓ２０４）。ウェアラブル端末１０のロック解除状態経過時間が所定時間経過していない場合（Ｓ２０３：ＮＯ）、制御部１２はウェアラブル端末１０のロックを確認する処理に戻り処理を繰り返す（Ｓ２０１）。
【００５８】
なお、制御部１２によるウェアラブル端末１０のロック解除状態の確認（Ｓ２０１）、装着検出部１１によるウェアラブル端末１０の身体への装着の確認（Ｓ２０２）、制御部１２によるウェアラブル端末１０のロック解除状態から所定時間経過したかどうかの確認（Ｓ２０３）についての一連の処理は、例えば１０秒ごと、１分ごとといった定期的な処理として確認される。
【００５９】
次に、図７は携帯端末２０のロックに関する処理内容を示すフローチャートである。以下図７を用いて携帯端末２０のロックに関する処理内容を説明する。
【００６０】
端末制御部２３は、携帯端末２０がロック状態であるか否かを確認する（Ｓ３０１）。端末制御部２３はロック状態であることが確認した場合（Ｓ３０１：ＹＥＳ）、端末受信部２１は、ウェアラブル端末１０からウェアラブル端末１０が身体へ装着されている旨の装着状態情報、及びロック解除状態情報を受信したかを判断する（Ｓ３０２）。ウェアラブル端末１０が身体へ装着されている旨の装着状態情報、及びウェアラブル端末１０のロック解除状態情報を受信した場合（Ｓ３０２：ＹＥＳ）、端末操作部２２は携帯端末２０のロック解除操作を行う（Ｓ３０３）。例えば、ロック解除操作のための画面を表示する。
【００６１】
ウェアラブル端末１０が身体へ装着されている旨の装着状態情報、及びウェアラブル端末１０のロック解除状態情報の少なくともいずれかを受信していない場合には、端末操作部２２は携帯端末２０をセキュリティの高いロック解除操作をユーザに要求する（Ｓ３０４）。例えば、ロック解除操作のための画面を表示するために複雑なパスワードの入力を要求する。
【００６２】
端末制御部２３は、携帯端末２０がロック状態でないことが確認した場合（Ｓ３０１：ＮＯ）、端末受信部２１は、ウェアラブル端末１０からウェアラブル端末１０が身体へ装着されている旨の装着状態情報、及びウェアラブル端末１０のロック解除状態情報を受信したかを判断する（Ｓ３０５）。端末受信部２１が、ウェアラブル端末１０が身体へ装着されている旨の装着状態情報、かつウェアラブル端末１０のロック解除状態情報を受信した場合（Ｓ３０５：ＹＥＳ）、端末制御部２３は携帯端末２０のロック解除状態が所定時間経過したかどうかを判断する（Ｓ３０６）。端末制御部２３は携帯端末２０のロック解除状態が所定時間経過したと判断した場合（Ｓ３０６：ＹＥＳ）、端末制御部２３は、携帯端末２０は携帯端末２０をロックする（Ｓ３０７）。この場合のロックは、ユーザ情報等にアクセスするような操作以外は受付ける状態としてもよい。端末制御部２３が携帯端末２０のロック解除状態が所定時間経過していないと判断した場合（Ｓ３０６：ＮＯ）、携帯端末２０はロックの状態を確認する処理に戻り処理を繰り返す（Ｓ３０１）。
【００６３】
端末制御部２３がロック状態でないことが確認し（Ｓ３０１：ＮＯ）、端末受信部２１が身体へ装着されている旨の装着状態情報、及びウェアラブル端末１０のロック解除状態情報の少なくともいずれかを受信していない場合には、端末制御部２３は携帯端末２０のロックを自動的に行う（Ｓ３０７）。この場合のロックは、端末操作部２２が受付可能な操作の範囲を制限するようにしてもよい。例えば、ユーザ情報等にアクセスしない操作を含めて受付けないようにしてもよい。
【００６４】
次に、本実施形態の変形例について説明する。この変形例では、ＷｉＦｉ（Wireless Fidelity）等に接続し、ＷｉＦｉのアクセスポイント名等に基づいて、携帯端末２０が自宅にあるか否かを判断し、ロックの制御を行う。具体的には、携帯端末２０が自宅にある場合には安全と考え、携帯端末２０のロックを解除するという制御を行う。
【００６５】
変形例では、携帯端末２０の機能として、図３に示すＷＬＡＮ通信部２６を更に備える。ＷＬＡＮ通信部２６は、自宅に設置されたＷｉＦｉ等に接続する部分である。ＷＬＡＮ通信部２６は、例えば、接続したＷｉＦｉのアクセスポイント名に関する情報を端末制御部２３に通知する。なお、携帯端末２０がある場所に関する情報が取得できればよく、端末制御部２３は、携帯端末２０が備えるＧＰＳ等の機能により取得した場所に関する情報を、取得してもよい。
【００６６】
図８は、携帯端末２０のロックに関する処理内容を示すフローチャートである。以下、図８を用いて携帯端末２０のロックに関する処理内容を説明する。
【００６７】
端末制御部２３は、携帯端末２０がロック状態であるか否かを確認する（Ｓ４０１）。端末制御部２３は、ロック状態であることを確認した場合（Ｓ４０１：ＹＥＳ）、端末受信部２１は、ウェアラブル端末１０からウェアラブル端末１０が身体へ装着されている旨の装着状態情報を受信したか否かを判断する（Ｓ４０２）。端末受信部２１が、ウェアラブル端末１０からウェアラブル端末１０が身体へ装着されている旨の装着状態情報を受信したと判断した場合（Ｓ４０２：ＹＥＳ）、端末受信部２１が、さらにロック解除状態情報を受信したかを判断する（Ｓ４０３）。端末受信部２１が、ロック解除状態情報を受信したと判断した場合（Ｓ４０３：ＹＥＳ）、端末操作部２２は携帯端末２０のロック解除操作を行う（Ｓ４０４）。端末受信部２１が、ロック解除状態情報を受信していないと判断した場合（Ｓ４０３：ＮＯ）、端末操作部２２は、携帯端末２０のロック解除操作を高セキュリティモードで行う（Ｓ４０４）。
【００６８】
端末受信部２１が、ウェアラブル端末１０からウェアラブル端末１０が身体へ装着されている旨の装着状態情報を受信したと判断した場合（Ｓ４０２：ＮＯ）、ＷＬＡＮ通信部２６が、ＷｉＦｉに接続し、アクセスポイント名を取得すると、ＷＬＡＮ通信部２６から通知されたアクセスポイント名に基づいて、端末制御部２３は、携帯端末２０が自宅にあるか否かを判断する（Ｓ４０６）。端末制御部２３は、携帯端末２０が自宅にあると判断すると（Ｓ４０６：ＹＥＳ）、携帯端末２０のロックを解除する（Ｓ４０７）。端末制御部２３が、携帯端末２０が自宅にないと判断すると（Ｓ４０６：ＮＯ）、携帯端末２０のロック状態の確認からの処理を繰り返す（Ｓ４０１）。
【００６９】
端末制御部２３は、携帯端末２０がロック状態でないことを確認した場合（Ｓ４０１：ＮＯ）、端末受信部２１は、ウェアラブル端末１０からウェアラブル端末１０が身体へ装着されている旨の装着状態情報、及びウェアラブル端末１０のロック解除状態情報を受信したかを判断する（Ｓ４０８）。端末受信部２１が、ウェアラブル端末１０が身体へ装着されている旨の装着状態情報、かつウェアラブル端末１０のロック解除状態情報を受信した場合（Ｓ４０８：ＹＥＳ）、端末制御部２３は携帯端末２０のロック解除状態が所定時間経過したかどうかを判断する（Ｓ４０９）。端末制御部２３は携帯端末２０のロック解除状態が所定時間経過したと判断した場合（Ｓ４０９：ＹＥＳ）、端末制御部２３は、携帯端末２０をロックする（Ｓ４１０）。端末制御部２３が携帯端末２０のロック解除状態が所定時間経過していないと判断した場合（Ｓ４０９：ＮＯ）、携帯端末２０はロックの状態を確認する処理に戻り処理を繰り返す（Ｓ４０１）。
【００７０】
端末制御部２３がロック状態でないことを確認し（Ｓ４０１：ＮＯ）、端末受信部２１が身体へ装着されている旨の装着状態情報、及びウェアラブル端末１０のロック解除状態情報の少なくともいずれかを受信していない場合には（Ｓ４０８：ＮＯ）、端末制御部２３は携帯端末２０のロックを自動的に行う（Ｓ４１０）。
【００７１】
このように、自宅にいる場合には安全と考え、ロックの制御を行うことを希望しない場合には、ウェアラブル端末１０が装着状態でなくとも、携帯端末２０のロックを解除するという制御を行うことにより、ロックの制御の柔軟性を高めることが可能となる。
【００７２】
次に、本実施形態のウェアラブル端末１０の作用効果について説明する。身体に装着するウェアラブル端末１０において、装着検出部１１は、ウェアラブル端末１０の身体への装着の有無を検出する。ウェアラブル端末１０がロックされていない状態において、装着検出部１１によりウェアラブル端末１０の身体への装着が検出されない場合には、制御部１２はウェアラブル端末１０のロックを行うという制御を行う。ウェアラブル端末１０がロックされていない状態において、装着検出部１１によりウェアラブル端末１０の身体への装着が検出された場合には、制御部１２はウェアラブル端末１０のロックを行わないという制御を行う。
【００７３】
これにより、ユーザがウェアラブル端末１０を装着していない状態では、ウェアラブル端末１０をロックされるが、ユーザがウェアラブル端末１０を装着した状態では、ウェアラブル端末１０をロックされないという制御がなされる。よって、ユーザがウェアラブル端末１０を装着していない場合、ウェアラブル端末１０がロックされることにより、他人に操作される恐れを少なくすることができる。また、ユーザがウェアラブル端末１０を装着しており他人に操作される恐れが少ないような状態では、ウェアラブル端末１０がロックされないことにより、ユーザの利便性を向上させることができる。このように、セキュリティを担保しつつ、ユーザにとっての利便性も兼ね備えたウェアラブル端末１０のロックの制御が可能となる。
【００７４】
また、本発明のウェアラブル端末１０では、装着検出部１１がウェアラブル端末１０の身体への装着が検出しておらず、ロック解除状態が所定時間経過すると、制御部１２がウェアラブル端末１０をロックするようにしてもよい。これにより、ウェアラブル端末１０の身体への装着が検出されていない場合、ロック解除状態が所定時間経過すると、ウェアラブル端末１０は制御部１２によりロックされる。よって、ウェアラブル端末１０を装着していない状態での、セキュリティを確実に確保することができる。
【００７５】
また、本発明のウェアラブル端末１０は携帯端末２０からロック解除情報を受信する受信部１３さらに備えていてもよい。ウェアラブル端末１０が身体へ装着されていることを装着検出部１１が検出し、さらに受信部１３により携帯端末２０からロック解除情報が受信されると、制御部１２はウェアラブル端末１０のロックを解除する。この構成により、ウェアラブル端末１０の身体への装着が検出されている場合、ウェアラブル端末１０が携帯端末２０からロック解除情報を受信することで、ウェアラブル端末１０のロックを解除することができる。したがって、ユーザは、ユーザの保有する携帯端末２０からウェアラブル端末１０のロックの解除の操作することができる。携帯端末２０のタッチパネルＴ２は、ウェアラブル端末１０のタッチパネルＴ１よりも大きいため、ロック解除の入力を容易に行える。
【００７６】
また、本発明のウェアラブル端末１０は、携帯端末２０に対して、ウェアラブル端末１０が装着状態であることを示す装着状態情報を通知する通知部１５と、ロック解除の操作の受付けを行う操作部１４と、を備えていてもよい。装着検出部１１により装着がなされていることが検出され、操作部１４によりロック解除の操作が受付けられると、制御部１２は、ウェアラブル端末１０のロックを解除するとともに、通知部１５に対して、装着状態情報を通知するよう制御する。これにより、ウェアラブル端末１０のロックを解除する際のウェアラブル端末１０の装着状態情報が携帯端末２０に通知される。つまり、ウェアラブル端末１０のロックが解除された際のウェアラブル端末１０の装着状態を携帯端末２０は認識することができる。ウェアラブル端末１０が装着されている状態を携帯端末２０が認識した場合、ウェアラブル端末１０が携帯端末２０の近傍にあることが想定される。また、ウェアラブル端末１０が装着されているということは、他人に操作される可能性が低い。このように、ウェアラブル端末１０の装着状態を考慮した制御を携帯端末２０に対してもすることが可能となる。
【００７７】
また、本発明のウェアラブル端末１０の通知部１５は、さらに、携帯端末２０に対して、ロック解除状態であることを示すロック解除状態情報を通知するようにしてもよい。これにより、ウェアラブル端末１０の装着状態情報とともにウェアラブル端末１０のロック解除状態情報が携帯端末２０に通知される。つまり、ウェアラブル端末１０の装着状態情報及びロック解除状態を携帯端末２０は認識することができる。また、ウェアラブル端末１０がロック解除状態であるならば、セキュリティの面で他人に操作されるおそれがない状態であることが想定される。よって、セキュリティを確保しつつウェアラブル端末１０の状態に応じて柔軟性の高いロックの制御が携帯端末２０に対しても可能となる。
【００７８】
また、本発明のウェアラブル端末１０を接続する携帯端末２０は、ウェアラブル端末１０から装着状態情報を受信する端末受信部２１と、端末受信部２１により受信された装着状態情報を記憶する状態情報記憶部２４と、携帯端末２０のロック解除の操作を受付ける端末操作部２２と、状態情報記憶部２４においてウェアラブル端末１０の装着状態情報が記憶されている場合には、端末操作部２２によるロック解除の操作を受付け可能とする端末制御部２３と、を備える。この構成によれば、ウェアラブル端末１０の装着状態情報を受信した場合に、携帯端末２０のロックの解除の受付けが可能となる。よって、ウェアラブル端末１０の状態を考慮した携帯端末２０のロックの制御が可能となる。
【００７９】
また、本発明のウェアラブル端末１０を接続する携帯端末２０は、端末操作部２２がセキュリティの高いロック解除の操作をさらに受付け可能であるように構成されていてもよい。端末制御部２３は、状態情報記憶部２４においてウェアラブル端末１０の装着状態情報が記憶されていない場合には、端末操作部２２がセキュリティの高いロック解除の操作を受付ける。この構成によれば、ウェアラブル端末１０の装着状態情報を携帯端末２０が認識できない場合には、高セキュリティの携帯端末２０のロック解除の受付けが可能となる。ウェアラブル端末１０が装着されていない場合には、ウェアラブル端末１０と携帯端末２０がともにユーザから離れていることが想定される。例えば、ユーザがウェアラブル端末１０と携帯端末２０を机に置いているような状態が想定される。このような状態では、ウェアラブル端末１０だけでなく携帯端末２０も他人に操作される可能性が高いと考えられる。または、携帯端末２０が盗まれることも想定される。この構成では、これらの状況下を想定し、セキュリティを高めたロック解除が可能となる。
【００８０】
また、本発明のウェアラブル端末１０を接続する携帯端末２０の端末操作部２２は、携帯端末２０が備える機能を利用するための操作である端末操作をさらに受付け可能とし、端末制御部２３は、状態情報記憶部２４においてウェアラブル端末１０の装着状態情報が記憶されていない場合には、端末操作部２２が受付け可能な端末操作の範囲を制限するように構成されていてもよい。この構成によれば、端末操作部２２は、携帯端末２０が備える機能を利用するための操作も受け付ける。そして、端末制御部２３は、ウェアラブル端末１０が装着されていない状態では、端末操作部２２が受付可能な機能を制限することが可能となる。ウェアラブル端末１０が装着されていない場合には、ウェアラブル端末１０と携帯端末２０がともにユーザから離れていることが想定される。例えば、ユーザがウェアラブル端末１０と携帯端末２０を机に置いているような状態が想定される。このような状態では、ウェアラブル端末１０だけでなく携帯端末２０も他人に操作される可能性が高いと考えられる。または、携帯端末２０が盗まれることも想定される。ユーザ情報等へのアクセスではなくとも、携帯端末２０が有する機能を他人が利用することは望ましくない。よってこの構成では、これらの状況下を想定し、端末操作部２２が受付可能な機能を制限することが可能となる。
【００８１】
また、本発明のウェアラブル端末１０を接続する携帯端末２０の端末受信部２１は、さらに、ウェアラブル端末１０のロック解除状態を示すロック解除状態情報を受信し、状態情報記憶部２４は、装着状態情報とともに、ロック解除状態情報を記憶し、端末制御部２３は、状態情報記憶部２４においてウェアラブル端末１０の装着状態情報及びロック解除状態情報が記憶されている場合には、端末操作部２２によるロック解除の操作を受付け可能とするようにしてもよい。この構成によれば、ウェアラブル端末１０の装着状態情報及びロック解除状態情報を携帯端末２０が認識した場合に限り、携帯端末２０のロックの解除の受付けが可能となる。よって、ウェアラブル端末１０の状態を考慮し、セキュリティ面で確実な携帯端末２０のロックの制御が可能となる。
[第２実施形態]
【００８２】
つぎに、第２実施形態について説明する。図９は、ウェアラブル端末１０Ａ、ウェアラブル端末１０Ｂ、携帯端末２０Ａの関係を示す概要図である。図９に示すように、携帯端末２０Ａと通信するウェアラブル端末はウェアラブル端末１０Ａ、ウェアラブル端末１０Ｂと２つある。なお、携帯端末２０Ａとウェアラブル端末１０Ａ、及び携帯端末２０Ａとウェアラブル端末１０Ｂはそれぞれ通信可能である。なお、携帯端末２０Ａと通信するウェアラブル端末は３以上あってもよい。第２実施形態は、ウェアラブル端末が複数あり、複数のウェアラブル端末の状態に基づいてウェアラブル端末の制御を行う点が第１実施形態と異なる。ここでは、この異なる点の詳細について説明する。なお、ウェアラブル端末１０Ａ、ウェアラブル端末１０Ｂ、及び携帯端末２０Ａは同じユーザによって所有されることが想定されるものである。
【００８３】
図１０は、第２実施形態に係るウェアラブル端末１０Ａの機能構成を示すブロック図である。なお、ウェアラブル端末１０Ｂの機能構成も同じである。図１０に示すように、ウェアラブル端末１０Ａは、機能的には、装着検出部１１Ａ（装着検出手段）、制御部１２Ａ（制御手段）、受信部１３Ａ（受信手段）、操作部１４Ａ（操作手段）、及び通知部１５Ａ（通知手段）を備える。装着検出部１１Ａは、第１実施形態の機能と同等であり、その説明を省略する。また、第２実施形態のハードウェア構成は第１実施形態と同一であり、その説明を省略する。
【００８４】
操作部１４Ａは、第１実施形態のタッチパネルからウェアラブル端末のロックを解除するための操作に加えて、ウェアラブル端末１０Ａに対するその他の操作の受付けをさらに検出する。その他の操作とは、アプリケーションの利用等、ウェアラブル端末１０Ａに対して行う操作全てを含む。操作部１４Ａは、操作の受付けが行われたことに関する情報、及び該操作が行われた時間（操作情報）を通知部１５Ａ、及び制御部１２Ａに通知する。
【００８５】
通知部１５Ａは、携帯端末２０Ａに対して、ウェアラブル端末１０Ａの装着状態を示す装着状態情報、ロック解除状態情報であることを示すロック解除状態情報、ウェアラブル端末１０Ａに対し操作の受付けが行われたことに関する情報、及び該操作が行われた時間を通知する部分である。これらの通知は、操作部１４Ａが操作を受付けた際に、ウェアラブル端末１０Ａから携帯端末２０Ａに対してなされる通知である。
【００８６】
受信部１３Ａは、携帯端末２０Ａと接続し、携帯端末２０Ａとウェアラブル端末１０Ａとの距離、ウェアラブル端末１０Ｂの装着状態情報、携帯端末２０Ａとウェアラブル端末１０Ｂとの距離、ウェアラブル端末１０Ｂに対し操作の受付けが行われたことに関する情報、及び該操作が行われた時間を受信する部分である。受信部１３Ａは、これらの情報を受信すると制御部１２Ａに通知する。なお、ウェアラブル端末１０Ｂに対して操作が行われた時間は、携帯端末２０Ａから、受信部１３Ａが、ウェアラブル端末１０Ｂに対し操作の受付けが行われたことに関する情報を受信した時間としてもよい。その場合には、ウェアラブル端末１０Ａ及びウェアラブル端末１０Ｂから操作が行われた時間を携帯端末２０Ａに通知する必要はない。
【００８７】
制御部１２Ａは、ウェアラブル端末１０Ａ及びウェアラブル端末１０Ｂそれぞれの、装着状態情報、携帯端末２０Ａとの距離、操作が行われたことに関する情報、及びウェアラブル端末１０Ａ及びウェアラブル端末１０Ｂの操作実行時間の差（以下、「操作実行時間差」という。）に基づいて、ウェアラブル端末１０Ａのロックの制御を行う部分である。ウェアラブル端末１０Ａの装着状態情報は、装着検出部１１Ａにより検出される。ウェアラブル端末１０Ｂの装着状態情報は、受信部１３Ａにより携帯端末２０Ａから受信される。携帯端末２０Ａとの距離は、ウェアラブル端末１０Ａ、ウェアラブル端末１０Ｂともに、受信部１３Ａにより携帯端末２０Ａから受信される。操作実行時間差は、操作部１４Ａが取得した操作実行時間と、受信部１３Ａが取得したウェアラブル端末１０Ｂに対し操作の受付けが行われた時間との差から算出される。以下、ロックの制御について詳細に説明する。
【００８８】
制御部１２Ａは、ウェアラブル端末１０Ａ及びウェアラブル端末１０Ｂが共に、装着状態、ロック状態、及び携帯端末２０Ａと通信可能である状態であって、携帯端末２０Ａから受信したウェアラブル端末１０Ａと携帯端末２０Ａとの距離、ウェアラブル端末１０Ｂと携帯端末２０Ａとの距離が予め定められた距離以上であるという条件の下では、ロック解除の要求を受付けても、ウェアラブル端末１０Ａのロック解除を行わない。
【００８９】
携帯端末２０Ａから受信したウェアラブル端末１０Ａと携帯端末２０Ａとの距離、ウェアラブル端末１０Ｂと携帯端末２０Ａとの距離が予め定められた距離以上である場合、ウェアラブル端末１０Ａ及びウェアラブル端末１０Ｂのいずれかあるいは両方が、携帯端末２０Ａの所有者とは異なる人に所持されている可能性があるため、ロック状態であることが望ましいためである。
【００９０】
なお、ウェアラブル端末１０Ａ及びウェアラブル端末１０Ｂが共に、装着状態、ロック状態、及び携帯端末２０Ａと通信可能である状態であって、携帯端末２０Ａから受信したウェアラブル端末１０Ａと携帯端末２０Ａとの距離、ウェアラブル端末１０Ｂと携帯端末２０Ａとの距離が予め定められた距離以上であるという条件の下で、ウェアラブル端末１０Ａのロックだけでなく、ウェアラブル端末１０Ｂ、及び携帯端末２０Ａもあわせてロックすることとしてもよい。あるいは、ウェアラブル端末１０Ａ、及びウェアラブル端末１０Ｂのうち、携帯端末２０Ａとの距離が近いウェアラブル端末、あるいは遠いウェアラブル端末をロックすることとしてもよい。
【００９１】
全ての端末をロックすることとすれば、セキュリティを確実にすることができる。携帯端末２０Ａとの距離が近いウェアラブル端末をロックする場合とは、携帯端末２０Ａとウェアラブル端末１０Ａとが同時に他人に持ちさられたような場合を想定したものである。携帯端末２０Ａとの距離が遠いウェアラブル端末をロックする場合とは、携帯端末２０Ａから遠い方のウェアラブル端末が他人に持ち去られた場合を想定したものである。なお、どの端末をロックするかについては、予め設定され、メモリ等に記憶されたポリシーに基づくものである。
【００９２】
また、制御部１２Ａは、ウェアラブル端末１０Ａ及びウェアラブル端末１０Ｂが共に、装着状態、ロック解除状態、及び携帯端末２０Ａと通信可能である状態であって、携帯端末２０Ａから受信したウェアラブル端末１０Ａと携帯端末２０Ａとの距離、ウェアラブル端末１０Ｂと携帯端末２０Ａとの距離が予め定められた距離以上であり、操作実行時間差が予め定められた時間以内という条件の下では、ウェアラブル端末１０Ａをロックする。
【００９３】
携帯端末２０Ａから受信したウェアラブル端末１０Ａと携帯端末２０Ａとの距離、ウェアラブル端末１０Ｂと携帯端末２０Ａとの距離が予め定められた距離以上であるにも関わらず、操作実行時間差が予め定められた時間以内という条件の下では、ウェアラブル端末１０Ａとウェアラブル端末１０Ｂは異なる人が操作している可能性があるため、ロック状態であることが望ましいためである。
【００９４】
ウェアラブル端末１０Ａ及びウェアラブル端末１０Ｂが共に、装着状態、ロック解除状態、及び携帯端末２０Ａと通信可能である状態であって、携帯端末２０Ａから受信したウェアラブル端末１０Ａと携帯端末２０Ａとの距離、ウェアラブル端末１０Ｂと携帯端末２０Ａとの距離が予め定められた距離以上であり、操作実行時間差が予め定められた時間以内という条件の下において、ウェアラブル端末１０Ａ、ウェアラブル端末１０Ｂ、及び携帯端末２０Ａのいずれをロックするかについては、上述と同様であり、予め設定され、メモリ等に記憶されたポリシーに基づくものである。
【００９５】
また、携帯端末２０Ａから受信したウェアラブル端末１０Ａと携帯端末２０Ａとの距離、ウェアラブル端末１０Ｂと携帯端末２０Ａとの距離は、両方が予め定められた距離以上であった場合に、上述の制御をすることとしてもよいし、いずれか一方が予め定められた距離以上であった場合に、上述のロック解除の制御をすることとしてもよい。また、操作の受付けの有無によらず、携帯端末２０Ａから受信したウェアラブル端末１０Ａと携帯端末２０Ａとの距離、ウェアラブル端末１０Ｂと携帯端末２０Ａとの距離に基づいて、上述のロックの制御をすることとしてもよい。
【００９６】
次に、図１１を参照し、携帯端末２０の各機能部について詳細に説明する。図１１に、端末操作部２２Ａ、及び端末制御部２３Ａについては、第１実施形態の機能と同等であり、その説明を省略する。また、第２実施形態のハードウェア構成は第１実施形態と同一であり、その説明を省略する。
【００９７】
端末受信部２１Ａは、ウェアラブル端末１０Ａ及びウェアラブル端末１０Ｂのそれぞれから、装着状態情報、ロック状態の有無を示すロック状態情報、及び操作の受付けが行われたことに関する情報、及び該操作が行われた時間（操作情報）を受信する。
【００９８】
状態情報記憶部２４Ａは、端末受信部２１Ａが受信したウェアラブル端末１０Ａ及びウェアラブル端末１０Ｂの装着状態情報、ロック状態情報、及び操作情報を記憶する部分である。
【００９９】
距離情報取得部２６Ａは、ウェアラブル端末１０Ａと携帯端末２０Ａとの距離、及びウェアラブル端末１０Ｂと携帯端末２０Ａとの距離を検出する部分である。距離情報取得部２６Ａは取得したこれらの距離を端末制御部２３Ａに通知する。距離情報取得部２６Ａは、具体的には、Ｂｅａｃｏｎ等を用いて、電波強度から距離を計算する。
【０１００】
端末制御部２３Ａは、第１実施形態の制御に加えて次のような制御をする。ウェアラブル端末１０Ａ及びウェアラブル端末１０Ｂが共に、装着状態、ロック状態、及び携帯端末２０Ａと通信可能である状態であって、距離情報取得部２６Ａが取得した、ウェアラブル端末１０Ａと携帯端末２０Ａとの距離、ウェアラブル端末１０Ｂと携帯端末２０Ａとの距離が予め定められた距離以上であり、操作実行時間差が予め定められた時間以内という条件の下では、携帯端末２０Ａがロック解除状態であればロックをし、携帯端末２０Ａがロック状態であれば、ロック状態を維持するという制御を行う。なお、ウェアラブル端末１０Ａ及びウェアラブル端末１０Ｂに対する操作の受付けの有無によらず、距離情報取得部２６Ａが取得した、ウェアラブル端末１０Ａと携帯端末２０Ａとの距離、ウェアラブル端末１０Ｂと携帯端末２０Ａとの距離に基づいて、上述のロックの制御をすることとしてもよい。
【０１０１】
距離情報取得部２６Ａが取得したウェアラブル端末１０Ａと携帯端末２０Ａとの距離、ウェアラブル端末１０Ｂと携帯端末２０Ａとの距離が予め定められた距離以上である場合には、携帯端末２０Ａ、ウェアラブル端末１０Ａ、及びウェアラブル端末１０Ｂの端末のいずれかあるいはいずれもが、携帯端末２０Ａの所有者とは異なる人に所持されている可能性があるため、ロック状態であることが望ましいである。また、予め定められた距離以上であるにも関わらず、操作実行時間差が予め定められた時間以内である場合、異なる人が操作している可能性があるため、ロック状態であることが望ましいためである。
【０１０２】
情報通知部２５Ａは、ウェアラブル端末１０Ａにウェアラブル端末１０Ｂの装着状態情報、ウェアラブル端末１０Ｂのロック状態情報、ウェアラブル端末１０Ｂと携帯端末２０Ａとの通信状態、及びウェアラブル端末１０Ｂに対し操作の受付けが行われたことに関する情報、及び該操作が行われた時間を通知する。また、ウェアラブル端末１０Ｂにウェアラブル端末１０Ａの装着状態情報、ウェアラブル端末１０Ａのロック状態情報、ウェアラブル端末１０Ａと携帯端末２０Ａとの通信状態、及びウェアラブル端末１０Ａに対し操作の受付けが行われたことに関する情報、及び該操作が行われた時間を通知する。
【０１０３】
次に、図１２を参照して、ウェアラブル端末１０Ａにおけるロック制御方法について説明する。図１２は、ウェアラブル端末１０Ａがロック解除状態である場合のロック制御の処理内容を示すフローチャートである。
【０１０４】
制御部１２Ａは、ロック解除状態であることを確認する（Ｓ５０１）。制御部１２Ａは、装着検出部１１Ａにより検出されたウェアラブル端末１０Ａの装着状態情報に基づいて、ウェアラブル端末１０Ａが装着状態であるか否かを判断する（Ｓ５０２）。制御部１２Ａが、装着検出部１１Ａにより検出されたウェアラブル端末１０Ａの装着状態情報に基づいて、ウェアラブル端末１０Ａが装着状態であると判断した場合（Ｓ５０２：ＹＥＳ）、ウェアラブル端末１０Ａと携帯端末２０Ａとが通信可能であるかを判断する（Ｓ５０３）。ウェアラブル端末１０Ａと携帯端末２０Ａとが通信可能であると判断した場合（Ｓ５０３：ＹＥＳ）、通知部１５Ａは、ウェアラブル端末１０Ａの装着状態情報、ウェアラブル端末１０Ａに対し操作の受付けが行われたことに関する情報及び該操作が行われた時間（操作情報）を携帯端末２０Ａに通知する（Ｓ５０４）。続いて、携帯端末２０Ａからウェアラブル端末１０Ｂの装着状態情報を携帯端末２０Ａから受信したか否かを判断する（Ｓ５０５）。
【０１０５】
制御部１２Ａは、携帯端末２０Ａからウェアラブル端末１０Ｂの装着状態情報を携帯端末２０Ａから受信したと判断した場合（Ｓ５０５：ＹＥＳ）、受信部１３Ａがウェアラブル端末１０Ａと携帯端末２０Ａとの距離、及びウェアラブル端末１０Ｂと携帯端末２０Ａとの距離を、携帯端末２０Ａから受信したかを判断する（Ｓ５０６）。制御部１２Ａは、受信部１３Ａがウェアラブル端末１０Ａと携帯端末２０Ａとの距離、及びウェアラブル端末１０Ｂと携帯端末２０Ａとの距離を、携帯端末２０Ａから受信したと判断した場合（Ｓ５０６：ＹＥＳ）、受信部１３Ａが受信したウェアラブル端末１０Ａと携帯端末２０Ａとの距離、及びウェアラブル端末１０Ｂと携帯端末２０Ａとの距離のいずれかが予め定められた距離以上であるか否かを判断する（Ｓ５０７）。予め定められた距離とは、例えば３ｍである。
【０１０６】
制御部１２Ａは、受信部１３Ａが受信したウェアラブル端末１０Ａと携帯端末２０Ａとの距離、及びウェアラブル端末１０Ｂと携帯端末２０Ａとの距離のいずれかが３ｍ以上であると判断した場合（Ｓ５０７：ＹＥＳ）、操作部１４Ａがウェアラブル端末１０Ａに対し操作の受付け及び該操作が行われた時間（操作情報）を取得し、かつ受信部１３Ａが受信したウェアラブル端末１０Ｂに対し操作の受付けが行われたことに関する情報及び該操作が行われた時間（操作情報）を受信したか否かを判断する（Ｓ５０８）。操作部１４Ａがウェアラブル端末１０Ａに対し操作の受付け及び該操作が行われた時間（操作情報）を取得し、かつ受信部１３Ａが受信したウェアラブル端末１０Ｂに対し操作の受付けが行われたことに関する情報及び該操作が行われた時間（操作情報）を受信した場合（Ｓ５０８：ＹＥＳ）、これらの情報に基づいて、操作実行時間差が予め定められた時間以内であるかを判断する（Ｓ５０９）。制御部１２Ａは、この操作実行時間差が予め定められた時間以内であると判断した場合（Ｓ５０９：ＹＥＳ）、ウェアラブル端末１０Ａをロックする（Ｓ５１０）。制御部１２Ａは、この操作実行時間差が予め定められた時間以内でないと判断した場合（Ｓ５０９：ＮＯ）、ウェアラブル端末１０Ａのロック解除状態の確認からの処理を繰り返す（Ｓ５０１）。
【０１０７】
制御部１２Ａは、装着検出部１１Ａにより検出されたウェアラブル端末１０Ａの装着状態情報に基づいて、ウェアラブル端末１０Ａが装着状態であると判断した場合（Ｓ５０２：ＮＯ）、及びウェアラブル端末１０Ａと携帯端末２０Ａが通信可能でないと判断した場合（Ｓ５０３：ＮＯ）、ウェアラブル端末１０Ａのロック解除状態が所定時間経過したか否かを判断する（Ｓ５１１）。制御部１２Ａは、ウェアラブル端末１０Ａロック解除状態が所定時間経過したと判断した場合（Ｓ５１１：ＹＥＳ）、ウェアラブル端末１０Ａをロックする（Ｓ５１０）。制御部１２Ａは、ウェアラブル端末１０Ａロック解除状態が所定時間経過していないと判断した場合（Ｓ５１１：ＮＯ）、携帯端末２０Ａからウェアラブル端末１０Ｂの装着状態情報を携帯端末２０Ａから受信していないと判断した場合（Ｓ５０５：ＮＯ）、受信部１３Ａが受信したウェアラブル端末１０Ａと携帯端末２０Ａとの距離、及びウェアラブル端末１０Ｂと携帯端末２０Ａとの距離のいずれかが３ｍ以上でないと判断した場合（Ｓ５０７：ＮＯ）、及び操作実行時間差が予め定められた時間以内でないと判断した場合（Ｓ５０８：ＮＯ）、ウェアラブル端末１０Ａのロック解除状態の確認からの処理を繰り返す。
【０１０８】
制御部１２Ａは、受信部１３Ａがウェアラブル端末１０Ａと携帯端末２０Ａとの距離、及びウェアラブル端末１０Ｂと携帯端末２０Ａとの距離を、携帯端末２０Ａから受信していないと判断した場合（Ｓ５０６：ＮＯ）、受信部１３Ａがこれらの情報を受信するまで、これらの情報の受信の確認の処理を続ける。なお、図１２に示すフローチャートでは、操作実行時間差が予め定められた時間以内であるか（Ｓ５０９）を判断したが、この処理は行わなくてもよい。
【０１０９】
図１３を参照して、ウェアラブル端末１０Ａにおけるロック制御方法について説明する。図１３は、ウェアラブル端末１０Ａがロック状態である場合のロック制御の処理内容を示すフローチャートである。
【０１１０】
制御部１２Ａは、ロック状態であることを確認する（Ｓ６０１）。制御部１２Ａは、装着検出部１１Ａにより検出されたウェアラブル端末１０Ａの装着状態情報に基づいて、ウェアラブル端末１０Ａが装着状態であるか否かを判断する（Ｓ６０２）。制御部１２Ａは、ウェアラブル端末１０Ａが装着状態であると判断した場合（Ｓ６０２：ＹＥＳ）、ウェアラブル端末１０Ａと携帯端末２０Ａとが通信可能であるか否かを判断する（Ｓ６０３）。制御部１２Ａは、ウェアラブル端末１０Ａと携帯端末２０Ａとが通信可能であると判断した場合（Ｓ６０３：ＹＥＳ）、通知部１５Ａは、ウェアラブル端末１０Ａのロック状態、装着状態情報を携帯端末２０Ａに通知する（Ｓ６０４）。
【０１１１】
続いて、制御部１２Ａは、受信部１３Ａが携帯端末２０Ａからウェアラブル端末１０Ｂのロック状態、装着状態情報、及び通信状態を受信したか否かを判断する（Ｓ６０５）。制御部１２Ａは、これらの情報を受信部１３Ａが受信したと判断した場合（Ｓ６０５：Ａ）、受信部１３Ａがさらにウェアラブル端末１０Ａと携帯端末２０Ａとの距離、及びウェアラブル端末１０Ｂと携帯端末２０Ａとの距離を、携帯端末２０Ａから受信したかを判断する（Ｓ６０６）。制御部１２Ａは、受信部１３Ａがウェアラブル端末１０Ａと携帯端末２０Ａとの距離、及びウェアラブル端末１０Ｂと携帯端末２０Ａとの距離を、携帯端末２０Ａから受信したと判断した場合（Ｓ６０６：ＹＥＳ）、受信部１３Ａが受信したウェアラブル端末１０Ａと携帯端末２０Ａとの距離、及びウェアラブル端末１０Ｂと携帯端末２０Ａとの距離のいずれかが３ｍ以内であるか否かを判断する（Ｓ６０７）。
【０１１２】
制御部１２Ａは、受信部１３Ａが受信したウェアラブル端末１０Ａと携帯端末２０Ａとの距離、及びウェアラブル端末１０Ｂと携帯端末２０Ａとの距離のいずれもが３ｍ以内であると判断した場合（Ｓ６０７：ＹＥＳ）、携帯端末２０Ａからロックの解除信号を受信したか否かを判断する（Ｓ６０８）。制御部１２Ａは、携帯端末からロック解除信号を受信していないと判断した場合（Ｓ６０８：ＮＯ）、操作部１４Ａがウェアラブル端末１０Ａのロック解除の受付けをしたか否かを判断する（Ｓ６０９）。制御部１２Ａは、操作部１４Ａがウェアラブル端末１０Ａのロック解除の受付けをしたと判断した場合（Ｓ６０９：ＹＥＳ）、通知部１５Ａは携帯端末２０Ａにロック解除状態情報を送信し（Ｓ６１０）、制御部１２Ａはウェアラブル端末１０Ａのロックを解除する（Ｓ６１１）。また、携帯端末２０からロックの解除信号を受信していた場合（Ｓ６０８：ＹＥＳ）も、制御部１２Ａはウェアラブル端末１０Ａのロックを解除する（Ｓ６１１）。
【０１１３】
制御部１２Ａは、装着検出部１１Ａにより検出されたウェアラブル端末１０Ａの装着状態情報に基づいて、ウェアラブル端末１０Ａが装着状態でないと判断した場合（Ｓ６０２：ＮＯ）、及びウェアラブル端末１０Ａが携帯端末２０Ａと通信可能でないと判断した場合（Ｓ６０３：ＮＯ）、操作部１４Ａがウェアラブル端末１０Ａのロック解除を受付けたか否かを判断する（Ｓ６１２）。制御部１２Ａは、操作部１４Ａがウェアラブル端末１０Ａのロック解除を受付けたと判断した場合（Ｓ６１２：ＹＥＳ）、通知部１５Ａは携帯端末２０Ａにロック解除状態情報を送信し（Ｓ６１０）、制御部１２Ａはウェアラブル端末１０Ａのロックを解除する（Ｓ６１１）。
【０１１４】
制御部１２Ａは、受信部１３Ａが携帯端末２０Ａからウェアラブル端末１０Ｂのロック状態、装着状態情報、及び通信状態を受信していないと判断した場合（Ｓ６０５：ＮＯ）、操作部１４Ａがウェアラブル端末１０Ａのロック解除を受付けていないと判断した場合（Ｓ６１２：ＮＯ、Ｓ６０９：ＮＯ）、及び受信部１３Ａが受信したウェアラブル端末１０Ａと携帯端末２０Ａとの距離、及びウェアラブル端末１０Ｂと携帯端末２０Ａとの距離のいずれもが３ｍ以上であると判断した場合（Ｓ６０７：ＹＥＳ）には、ウェアラブル端末１０Ａのロック状態を確認からの処理を繰り返す。
【０１１５】
また、制御部１２Ａは、受信部１３Ａがウェアラブル端末１０Ａと携帯端末２０Ａとの距離、及びウェアラブル端末１０Ｂと携帯端末２０Ａとの距離を、携帯端末２０Ａから受信していないと判断した場合（Ｓ６０６：ＮＯ）、受信部１３Ａがこれらの情報を受信するまで処理を繰り返す。
【０１１６】
図１４を参照して、ウェアラブル端末１０Ａにおけるロック制御方法について説明する。図１４は、ウェアラブル端末１０Ａがロック状態である場合のロック制御の処理内容を示すシーケンス図である。
【０１１７】
ウェアラブル端末１０Ａ及びウェアラブル端末１０Ｂは、それぞれ装着状態情報を携帯端末２０Ａに通知する（Ｓ７０１、Ｓ７０３）。ウェアラブル端末１０Ａは携帯端末２０Ａからウェアラブル端末１０Ｂの装着状態情報を、ウェアラブル端末１０Ｂは携帯端末２０Ａからウェアラブル端末１０Ａの装着状態情報を送信する（Ｓ７０２、Ｓ７０４）。ウェアラブル端末１０Ａはウェアラブル端末１０Ｂの装着状態情報、ウェアラブル端末１０Ｂはウェアラブル端末１０Ａの装着状態情報をそれぞれメモリ等に記憶する（Ｓ７０５、Ｓ７０６）。
【０１１８】
携帯端末２０Ａの情報通知部２５Ａは、ウェアラブル端末１０Ａと携帯端末２０Ａとの距離、及びウェアラブル端末１０Ｂと携帯端末２０Ａとの距離を、それぞれウェアラブル端末１０Ａ及びウェアラブル端末１０Ｂに送信する（Ｓ７０７、Ｓ７０８）。ウェアラブル端末１０Ａ及びウェアラブル端末１０Ｂは、それぞれウェアラブル端末１０Ａと携帯端末２０Ａとの距離、またはウェアラブル端末１０Ｂと携帯端末２０Ａとの距離を３ｍ以上と判断する（Ｓ７０９、Ｓ７１０）。
【０１１９】
続いて、ウェアラブル端末１０Ａは、ウェアラブル端末１０Ａに対する操作の受付け、ウェアラブル端末１０Ｂは、ウェアラブル端末１０Ｂに対する操作の受付け、及び該操作がされた時間を検出する（Ｓ７１１、Ｓ７１２）。検出した操作に基づいて操作情報を携帯端末２０Ａに通知する（Ｓ７１３、Ｓ７１４）。そして、ウェアラブル端末１０Ａにはウェアラブル端末１０Ｂの操作情報、ウェアラブル端末１０Ｂはウェアラブル端末１０Ａの操作情報を受信する（Ｓ７１５、Ｓ７１６）。ウェアラブル端末１０Ａ、及びウェアラブル端末１０Ｂは、受信した操作情報に基づいてロックの制御を行う（Ｓ７１７、Ｓ７１８）。
【０１２０】
次に第２実施形態の変形例について説明する。第２実施形態と異なる部分は、ウェアラブル端末１０Ａが、図１０に示す距離検出部１６Ａ（距離検出手段）をさらに備える点である。以下、異なる部分である距離検出部１６Ａについて説明する。
【０１２１】
距離検出部１６Ａは、ウェアラブル端末１０Ａとウェアラブル端末１０Ｂとの距離を検出する部分である。距離検出部１６Ａは、検出したウェアラブル端末１０Ａとウェアラブル端末１０Ｂとの距離を制御部１２Ａに通知する。距離検出部１６Ａは、具体的には、Ｂｅａｃｏｎ等を用いて、電波強度から距離を取得する。
【０１２２】
次に、図１５を参照して、ウェアラブル端末１０Ａにおけるロック制御方法について説明する。図１５は、ウェアラブル端末１０Ａがロック解除状態である場合のロック制御の処理内容を示すフローチャートである。
【０１２３】
制御部１２Ａは、ロック解除状態であることを確認する（Ｓ８０１）。制御部１２Ａは、装着検出部１１Ａにより検出されたウェアラブル端末１０Ａの装着状態情報に基づいて、ウェアラブル端末１０Ａが装着状態であるか否かを判断する（Ｓ８０２）。制御部１２Ａが、装着検出部１１Ａにより検出されたウェアラブル端末１０Ａの装着状態情報に基づいて、ウェアラブル端末１０Ａが装着状態であると判断した場合（Ｓ８０２：ＹＥＳ）、ウェアラブル端末１０Ａと携帯端末２０Ａが通信可能であるかを判断する（Ｓ８０３）。ウェアラブル端末１０Ａと携帯端末２０Ａが通信可能であると判断した場合（Ｓ８０３：ＹＥＳ）、通知部１５Ａは、ウェアラブル端末１０Ａの装着状態情報を携帯端末２０Ａに通知する（Ｓ８０４）。
【０１２４】
続いて、携帯端末２０Ａからウェアラブル端末１０Ｂの装着状態情報を携帯端末２０Ａから受信したか否かを判断する（Ｓ８０５）。制御部１２Ａは、携帯端末２０Ａからウェアラブル端末１０Ｂの装着状態情報、及び操作情報を携帯端末２０Ａから受信したと判断した場合（Ｓ８０５：ＹＥＳ）、受信部１３Ａがウェアラブル端末１０Ａとウェアラブル端末１０Ｂとの距離を、距離検出部１６Ａが検出したかを判断する（Ｓ８０６）。
【０１２５】
制御部１２Ａは、ウェアラブル端末１０Ａとウェアラブル端末１０Ｂとの距離を、距離検出部１６Ａが検出したと判断した場合（Ｓ８０６：ＹＥＳ）、ウェアラブル端末１０Ａとウェアラブル端末１０Ｂとの距離が３ｍ以上であるか否かを判断する（Ｓ８０７）。制御部１２Ａは、ウェアラブル端末１０Ａとウェアラブル端末１０Ｂとの距離が３ｍ以上であると判断した場合（Ｓ８０７：ＹＥＳ）、操作部１４Ａがウェアラブル端末１０Ａに対し操作の受付け及び該操作が行われた時間（操作情報）を取得し、かつ受信部１３Ａが受信したウェアラブル端末１０Ｂに対し操作の受付けが行われたことに関する情報及び該操作が行われた時間（操作情報）を受信したか否かを判断する（Ｓ８０８）。
【０１２６】
操作部１４Ａがウェアラブル端末１０Ａに対し操作の受付け及び該操作が行われた時間（操作情報）を取得し、かつ受信部１３Ａが受信したウェアラブル端末１０Ｂに対し操作の受付けが行われたことに関する情報及び該操作が行われた時間（操作情報）を受信した場合（Ｓ８０８：ＹＥＳ）、これらの情報に基づいて、操作実行時間差が予め定められた時間以内であるかを判断する（Ｓ８０９）。
【０１２７】
制御部１２Ａは、この操作実行時間差が予め定められた時間以内であると判断した場合（Ｓ８０９：ＹＥＳ）、ウェアラブル端末１０Ａをロックする（Ｓ８１０）。制御部１２Ａは、この操作実行時間差が予め定められた時間以内でないと判断した場合（Ｓ８０９：ＮＯ）、ウェアラブル端末１０Ａのロック解除状態の確認からの処理を繰り返す（Ｓ８０１）。
【０１２８】
制御部１２Ａは、装着検出部１１Ａにより検出されたウェアラブル端末１０Ａの装着状態情報に基づいて、ウェアラブル端末１０Ａが装着状態であると判断した場合（Ｓ８０２：ＮＯ）、及びウェアラブル端末１０Ａと携帯端末２０Ａが通信可能でないと判断した場合（Ｓ８０３：ＮＯ）、ウェアラブル端末１０Ａのロック解除状態が所定時間経過したか否かを判断する（Ｓ８１１）。
【０１２９】
制御部１２Ａは、ウェアラブル端末１０Ａロック解除状態が所定時間経過したと判断した場合（Ｓ８１１：ＹＥＳ）、ウェアラブル端末１０Ａをロックする（Ｓ８１０）。制御部１２Ａは、ウェアラブル端末１０Ａのロック解除状態が所定時間経過していないと判断した場合（Ｓ８１１：ＮＯ）、携帯端末２０Ａからウェアラブル端末１０Ｂの装着状態情報を携帯端末２０Ａから受信していないと判断した場合（Ｓ８０５：ＮＯ）、距離検出部１６Ａが検出したウェアラブル端末１０Ａとウェアラブル端末１０Ｂとの距離が３ｍ以上でないと判断した場合（Ｓ８０７：ＮＯ）、及び操作実行時間差が予め定められた時間以内でないと判断した場合（Ｓ８０８：ＮＯ）、ウェアラブル端末１０Ａのロック解除状態の確認からの処理を繰り返す。
【０１３０】
制御部１２Ａは、距離検出部１６Ａがウェアラブル端末１０Ａとウェアラブル端末１０Ｂとの距離を検出していないと判断した場合（Ｓ８０６：ＮＯ）、距離検出部１６Ａがこの情報を検出するまで、検出の確認の処理を続ける。
【０１３１】
図１６を参照して、ウェアラブル端末１０Ａにおけるロック制御方法について説明する。図１６は、ウェアラブル端末１０Ａがロック状態である場合のロック制御の処理内容を示すフローチャートである。
【０１３２】
制御部１２Ａは、ロック状態であることを確認する（Ｓ９０１）。制御部１２Ａは、装着検出部１１Ａにより検出されたウェアラブル端末１０Ａの装着状態情報に基づいて、ウェアラブル端末１０Ａが装着状態であるか否かを判断する（Ｓ９０２）。制御部１２Ａは、ウェアラブル端末１０Ａが装着状態であると判断した場合（Ｓ９０２：ＹＥＳ）、ウェアラブル端末１０Ａと携帯端末２０Ａとが通信可能であるか否かを判断する（Ｓ９０３）。制御部１２Ａは、ウェアラブル端末１０Ａと携帯端末２０Ａとが通信可能であると判断した場合（Ｓ９０３：ＹＥＳ）、通知部１５Ａは、ウェアラブル端末１０Ａのロック状態、装着状態情報を携帯端末２０Ａに通知する（Ｓ９０４）。続いて、制御部１２Ａは、受信部１３Ａが携帯端末２０Ａからウェアラブル端末１０Ｂのロック状態、装着状態情報、及び通信状態を受信したか否かを判断する（Ｓ９０５）。制御部１２Ａは、これらの情報を受信部１３Ａが受信したと判断した場合（Ｓ９０５：Ａ）、距離検出部１６Ａがウェアラブル端末１０Ａとウェアラブル端末１０Ｂとの距離を検出したかを判断する（Ｓ９０６）。制御部１２Ａは、距離検出部１６Ａがウェアラブル端末１０Ａとウェアラブル端末１０Ｂとの距離を検出したと判断した場合（Ｓ９０６：ＹＥＳ）、距離検出部１６Ａが検出したウェアラブル端末１０Ａとウェアラブル端末１０Ｂと携帯端末２０Ａとの距離が３ｍ以内であるか否かを判断する（Ｓ９０７）。制御部１２Ａは、距離検出部１６Ａが検出したウェアラブル端末１０Ａとウェアラブル端末１０Ｂとの距離が３ｍ以内であると判断した場合（Ｓ９０７：ＹＥＳ）、携帯端末２０Ａからロックの解除信号を受信したか否かを判断する（Ｓ９０８）。制御部１２Ａは、携帯端末からロック解除信号を受信していないと判断した場合（Ｓ９０８：ＮＯ）、操作部１４Ａがウェアラブル端末１０Ａのロック解除の受付けをしたか否かを判断する（Ｓ９０９）。制御部１２Ａは、操作部１４Ａがウェアラブル端末１０Ａのロック解除の受付けをしたと判断した場合（Ｓ９０９：ＹＥＳ）、通知部１５Ａは携帯端末２０Ａにロック解除状態情報を送信し（Ｓ９１０）、制御部１２Ａはウェアラブル端末１０Ａのロックを解除する（Ｓ９１１）。
【０１３３】
制御部１２Ａは、装着検出部１１Ａにより検出されたウェアラブル端末１０Ａの装着状態情報に基づいて、ウェアラブル端末１０Ａが装着状態でないと判断した場合（Ｓ９０２：ＮＯ）、及びウェアラブル端末１０Ａが携帯端末２０Ａと通信可能でないと判断した場合（Ｓ９０３：ＮＯ）、操作部１４Ａがウェアラブル端末１０Ａのロック解除を受付けたか否かを判断する（Ｓ９１２）。制御部１２Ａは、操作部１４Ａがウェアラブル端末１０Ａのロック解除を受付けたと判断した場合（Ｓ９１２：ＹＥＳ）、通知部１５Ａは携帯端末２０Ａにロック解除状態情報を送信し（Ｓ９１０）、制御部１２Ａはウェアラブル端末１０Ａのロックを解除する（Ｓ９１１）。また、携帯端末２０からロックの解除信号を受信していた場合（Ｓ９０８：ＹＥＳ）も、制御部１２Ａはウェアラブル端末１０Ａのロックを解除する（Ｓ９１１）。
【０１３４】
制御部１２Ａは、受信部１３Ａが携帯端末２０Ａからウェアラブル端末１０Ｂのロック状態、装着状態情報、及び通信状態を受信していないと判断した場合（Ｓ９０５：ＮＯ）、操作部１４Ａがウェアラブル端末１０Ａのロック解除を受付けていないと判断した場合（Ｓ９１２：ＮＯ、Ｓ９０９：ＮＯ）、及び距離検出部１６Ａが検出したウェアラブル端末１０Ａとウェアラブル端末１０Ｂとの距離が３ｍ以上であると判断した場合（Ｓ９０７：ＹＥＳ）には、ウェアラブル端末１０Ａのロック状態を確認からの処理を繰り返す。
【０１３５】
また、制御部１２Ａは、距離検出部１６Ａがウェアラブル端末１０Ａとウェアラブル端末１０Ｂとの距離を検出していないと判断した場合（Ｓ９０６：ＮＯ）、距離検出部１６Ａがこの情報を検出するまで、検出の確認の処理を続ける。
【０１３６】
図１７を参照して、ウェアラブル端末１０Ａにおけるロック制御方法について説明する。図１７は、ウェアラブル端末１０Ａがロック状態である場合のロック制御の処理内容を示すシーケンス図である。
【０１３７】
ウェアラブル端末１０Ａ及びウェアラブル端末１０Ｂは、それぞれ装着状態情報を携帯端末２０Ａに通知する（Ｓ１００１、Ｓ１００３）。ウェアラブル端末１０Ａは携帯端末２０Ａからウェアラブル端末１０Ｂの装着状態情報を、ウェアラブル端末１０Ｂは携帯端末２０Ａからウェアラブル端末１０Ａの装着状態情報を送信する（Ｓ１００２、Ｓ１００４）。ウェアラブル端末１０Ａはウェアラブル端末１０Ｂの装着状態情報、ウェアラブル端末１０Ｂはウェアラブル端末１０Ａの装着状態情報をそれぞれメモリ等に記憶する（Ｓ１００５、Ｓ１００６）。距離検出部１６Ａは、ウェアラブル端末１０Ａとウェアラブル端末１０Ｂとの距離を検知する（Ｓ１００７、Ｓ１００８）。ウェアラブル端末１０Ａ及びウェアラブル端末１０Ｂは、ウェアラブル端末１０Ａとウェアラブル端末１０Ｂとの距離を３ｍ以上と判断する（Ｓ１００９、Ｓ１０１０）。続いて、ウェアラブル端末１０Ａは、ウェアラブル端末１０Ａに対する操作、ウェアラブル端末１０Ｂは、ウェアラブル端末１０Ｂに対す操作、及び該操作がされた時間である操作情報を検出し（Ｓ１０１１、Ｓ１０１２）、検出した情報を携帯端末２０Ａに通知する（Ｓ１０１３、Ｓ１０１４）。そして、ウェアラブル端末１０Ａにはウェアラブル端末１０Ｂの操作情報、ウェアラブル端末１０Ｂはウェアラブル端末１０Ａの操作情報を受信する（Ｓ１０１５、Ｓ１０１６）。ウェアラブル端末１０Ａ、及びウェアラブル端末１０Ｂは、受信した操作情報に基づいてロックの制御を行う（Ｓ１０１７、Ｓ１０１８）。
【０１３８】
次に、本実施形態のウェアラブル端末１０Ａの作用効果について説明する。身体に装着するウェアラブル端末１０Ａにおいて、受信部１３Ａは携帯端末２０Ａから、携帯端末２０Ａとウェアラブル端末１０Ａとの距離、ウェアラブル端末１０Ｂと携帯端末２０Ａとの距離、及びウェアラブル端末１０Ｂの装着状態情報を受信する。制御部１２Ａは、装着検出部１１Ａが装着状態を検出し、受信部１３Ａがウェアラブル端末１０Ｂの装着状態を受信し、受信部１３Ａが受信した、ウェアラブル端末１０Ａと携帯端末２０Ａとの距離、及びウェアラブル端末１０Ｂと携帯端末２０Ａとの距離の少なくともいずれか一方が予め定められた距離以上であった場合に、ウェアラブル端末１０Ａのロックを行う。
【０１３９】
この構成によれば、ウェアラブル端末が複数ある場合に、ウェアラブル端末が装着状態にも関わらず、いずれかのウェアラブル端末が携帯端末から所定距離以上離れている場合に、ウェアラブル端末１０Ａをロックする。いずれかのウェアラブル端末が携帯端末２０Ａから所定距離以上離れている場合とは、いずれかの端末を他人に持ち去られた可能性がある状態であることが想定される。よって、セキュリティを確保するために、このような状態では、制御部１２Ａがウェアラブル端末１０Ａをロックすることで、セキュリティを確実に確保することができる。
【０１４０】
また、距離検出部１６Ａは、ウェアラブル端末１０Ａとウェアラブル端末１０Ｂとの距離を検出する距離検出部１６Ａをさらに備え、受信部１３Ａが、携帯端末２０Ａからウェアラブル端末１０Ｂの装着状態情報を受信した場合、制御部１２Ａは、装着検出部１１Ａが検出した装着状態情報が装着状態を示す情報であり、受信部１３Ａがウェアラブル端末１０Ｂの装着状態を示す装着状態情報を受信し、距離検出部１６Ａが検出した、ウェアラブル端末１０Ａとウェアラブル端末１０Ｂとの距離が予め定められた距離以上であった場合に、ウェアラブル端末１０Ａのロックを行ってもよい。
【０１４１】
この構成によれば、ウェアラブル端末が複数ある場合に、装着状態にも関わらず、ウェアラブル端末同士が所定距離以上離れている場合に、ウェアラブル端末をロックする。ウェアラブル端末は、ユーザの身体へ装着されていることが前提であるので、装着状態が検出されている場合には、所定距離以内であることが想定される。つまり、装着状態にも関わらずウェアラブル端末同士が所定距離以上離れている場合とは、他人に持ち去られた可能性がある状態であること等が想定される。よって、このような状態の場合には、制御部１２Ａがウェアラブル端末をロックすることで、セキュリティを確実に確保することができる。
【０１４２】
また、操作部１４Ａが、ロック解除操作がされたことに加えてウェアラブル端末１０Ａに対し操作が行われたことに関する情報をさらに検出し、受信部１３Ａが、ウェアラブル端末１０Ｂに対し操作が行われたことに関する情報をさらに受信し、制御部１２Ａは、受信部１３Ａがウェアラブル端末１０Ｂに対し操作が行われたことに関する情報を受信した場合に、操作部１４Ａが検出したウェアラブル端末１０Ａに対し操作が行われたことに関する情報と、受信部１３Ａが受信したウェアラブル端末１０Ｂに対し操作が行われたことに関する情報とに基づいて、ウェアラブル端末１０Ａに対し操作が行われた時間と、ウェアラブル端末１０Ｂに対し操作が行われた時間との差を取得し、その差が予め定められた時間以内である時、ウェアラブル端末１０Ａのロックを行ってもよい。
【０１４３】
この構成によれば、ウェアラブル端末が複数ある場合に、装着状態であり、携帯端末とウェアラブル端末との距離、あるいはウェアラブル端末同士の距離が所定以上であり、複数のウェアラブル端末が所定時間以内に操作された場合に、ウェアラブル端末をロックする。複数のウェアラブル端末が所定以上の距離である場合に、所定時間以内（同時等）に操作された場合、それぞれ異なる人によってウェアラブル端末が操作された可能性が想定される。よって、このような状態の場合には、制御部１２Ａがウェアラブル端末をロックすることで、セキュリティを確実に確保することができる。
【符号の説明】
【０１４４】
１０、１０Ａ、１０Ｂ…ウェアラブル端末、１１、１１Ａ…装着検出部、１２、１２Ａ…制御部、１３、１３Ａ…受信部、１４、１４Ａ…操作部、１５、１５Ａ…通知部、１６Ａ…距離検出部、２０、２０Ａ…携帯端末、２１、２１Ａ…端末受信部、２２、２２Ａ…端末操作部、２３、２３Ａ…端末制御部、２４、２４Ａ…状態情報記憶部、２５、２５Ａ…情報通知部、２６Ａ…距離情報取得部、２６…ＷＬＡＮ通信部、Ｔ１…タッチパネル、Ｔ２…タッチパネル。
【図１】
2015194988.tif 000003
【図２】
2015194988.tif 000004
【図３】
2015194988.tif 000005
【図４】
2015194988.tif 000006
【図５】
2015194988.tif 000007
【図６】
2015194988.tif 000008
【図７】
2015194988.tif 000009
【図８】
2015194988.tif 000010
【図９】
2015194988.tif 000011
【図１０】
2015194988.tif 000012
【図１１】
2015194988.tif 000013
【図１２】
2015194988.tif 000014
【図１３】
2015194988.tif 000015
【図１４】
2015194988.tif 000016
【図１５】
2015194988.tif 000017
【図１６】
2015194988.tif 000018
【図１７】
2015194988.tif 000019